(57)【特許請求の範囲】
【請求項１】
文書のページを表示し、操作する方法であって、携帯用計算装置が、
サーバから、１又は複数の携帯用計算装置に関連するワークフロー処理に従って１又は複数の文書を受信する工程と、
前記１又は複数の文書のリスト及び前記１又は複数の文書の各々に関連する選択ボタンを表示する工程と、
前記選択ボタンが選択されるのに応答して、選択された選択ボタンに対応する文書を表示するディスプレイ領域を表示する工程と、
位置バー及びページ位置表示子を有するナビゲーション領域を表示する工程であって、前記位置バーは、表示されている文書のページの線形表現であり、前記ページ位置表示子は、前記表示されている文書のページに対応する位置において前記位置バー上に配置される工程と、
ストローク入力を捕捉する工程と、
前記ストローク入力が、前記ページ位置表示子の上にあったことに応じて、前記ページ位置表示子の前記位置における参照マークを修正し、前記ナビゲーション領域内の前記参照マークの表示を修正する工程と、
前記ストローク入力が前記ディスプレイ領域にあったことに応じて、前記ストローク入力を前記文書に注釈として付け、前記注釈を付けた文書を、前記ワークフロー処理における次の工程に関連する複数の携帯用計算装置への再送信のために前記サーバへ送信する工程であって、前記次の工程は、前記注釈を付けた文書に対する更なる処理であり、前記次の工程に関連する複数の携帯用計算装置は、順序付けられた一連の携帯用計算装置である、工程と、
を含む方法。
【請求項２】
前記ナビゲーション領域を表示する工程は、
前記位置バーを生成する工程と、
前記表示されている文書のページ順序を判定する工程と、
前記ページ位置表示子を生成し、示す工程と、
を含む、請求項１に記載の方法。
【請求項３】
前記ストローク入力は、前記ストローク入力の何れかの部分が前記ページ位置表示子内にある場合、又は前記ページ位置表示子の近傍にある場合、前記ページ位置表示子の上にある、請求項１に記載の方法。
【請求項４】
近傍とは、前記ページ位置表示子の前記位置の閾値画素距離以内である、請求項３に記載の方法。
【請求項５】
前記携帯用計算装置が、前記ページ位置表示子が参照マークの位置にあるか否かを判定する工程、
を更に含み、
前記参照マークを修正する工程は、前記ページ位置表示子が前記参照マークの位置にある場合、前記参照マークを削除する工程を含み、
前記参照マークを修正する工程は、前記ページ位置表示子が前記参照マークの位置にない場合、新たな参照マークを追加する工程を含む、請求項１に記載の方法。
【請求項６】
前記ページ位置表示子及び前記参照マークが前記文書の同じページに対応する場合、前記ページ位置表示子及び前記参照マークは同じ位置に表示される、請求項１に記載の方法。
【請求項７】
前記携帯用計算装置が、
前記ストローク入力が前記参照マークの近傍にあったか否かを判定する工程と、
前記ストローク入力が前記参照マークの近傍にあったことに応じて、前記参照マークの位置に対応するページを判定する工程と、
前記判定されたページを表示する工程と、
前記参照マークの上にあるように前記位置バー上の前記ページ位置表示子を移動させる工程と、
前記ナビゲーション領域の表示を更新する工程と、
を含む請求項１に記載の方法。
【請求項８】
前記携帯用計算装置が、
前記ストローク入力が前記位置バーの近傍にあったか否かを判定する工程と、
前記ストローク入力が前記位置バーの近傍にあったことに応じて、前記ストローク入力に対応する、前記位置バー上のストローク位置を判定する工程と、
前記ストローク位置に対応するページを判定する工程と、
前記判定されたページを表示する工程と、
前記位置バー上の前記ページ位置表示子を前記判定されたページに対応する位置に移動させる工程と、
前記ナビゲーション領域の表示を更新する工程と、
を含む請求項１に記載の方法。
【請求項９】
コンピュータプログラムであって、１又は複数の携帯用計算装置により実行されると、前記１又は複数の携帯用計算装置に、
サーバから、前記１又は複数の携帯用計算装置に関連するワークフロー処理に従って、１又は複数の文書を受信する機能と、
前記１又は複数の文書のリスト及び前記１又は複数の文書の各々に関連する選択ボタンを表示する機能と、
前記選択ボタンが選択されるのに応答して、選択された選択ボタンに対応する文書を表示するディスプレイ領域を表示する機能と、
位置バー及びページ位置表示子を有するナビゲーション領域を表示する機能であって、前記位置バーは、表示されている文書のページの線形表現であり、前記ページ位置表示子は、前記表示されている文書のページに対応する位置において前記位置バー上に配置される機能と、
ストローク入力を捕捉する機能と、
前記ストローク入力が、前記ページ位置表示子の上にあったことに応じて、前記ページ位置表示子の前記位置における参照マークを修正し、前記ナビゲーション領域内の前記参照マークの表示を修正する機能と、
前記ストローク入力が前記ディスプレイ領域にあったことに応じて、前記ストローク入力を前記文書に注釈として付け、前記注釈を付けた文書を、前記ワークフロー処理における次の工程に関連する複数の携帯用計算装置への再送信のために前記サーバへ送信する機能であって、前記次の工程は、前記注釈を付けた文書に対する更なる処理であり、前記次の工程に関連する複数の携帯用計算装置は、順序付けられた一連の携帯用計算装置である、機能と、
を行わせる、コンピュータプログラム。
【請求項１０】
前記コンピュータプログラムは、前記１又は複数の携帯用計算装置により実行されると、前記１又は複数の携帯用計算装置に、
前記位置バーを生成する機能と、
前記表示されている文書のページ順序を判定する機能と、
前記ページ位置表示子を生成し、示す機能と
を行わせる、請求項９に記載のコンピュータプログラム。
【請求項１１】
前記ストローク入力は、前記ストローク入力の何れかの部分が前記ページ位置表示子内にある場合、又は前記ページ位置表示子の近傍にある場合、前記ページ位置表示子の上にある、請求項９に記載のコンピュータプログラム。
【請求項１２】
携帯用計算装置であって、
入力を有するディスプレイ装置であって、画像を表示するディスプレイ装置と、
入力及び出力を有するストローク捕捉装置であって、ストロークを受け付け、前記ストロークを表す信号を生成するストローク捕捉装置と、
入力及び出力を有する提示モジュールであって、ワークフロー処理に従ってサーバから受信した１又は複数の文書のリスト及び前記１又は複数の文書の各々に関連する選択ボタン、又は選択された選択ボタンに関連する文書のページをディスプレイ領域に表示するユーザ・インタフェースを生成し、提示し、前記ストローク捕捉装置又は入力装置からの入力に応じて表示を調節する提示モジュールと、
入力及び出力を有する位置バー及びブックマーク・モジュールであって、文書のページ間をナビゲートし、位置バー及びページ位置表示子を有するナビゲーション領域を生成し、提示し、前記位置バーは、表示されている文書のページの線形表現であり、前記ページ位置表示子は、前記ディスプレイ装置上に表示されている前記文書のページに対応する位置において、前記位置バー上に配置される位置バー及びブックマーク・モジュールと、
前記ディスプレイ装置の前記入力に結合され、前記文書のページの画像を表示するためのプロセッサと、
を備え、前記プロセッサは、前記ストローク捕捉装置の前記出力に結合され、前記ストローク捕捉装置によって捕捉されるストローク入力を受け取り、記憶し、前記プロセッサは、前記提示モジュール、並びに前記位置バー及びブックマーク・モジュールと協働して、前記ストローク入力が前記ナビゲーション領域内にあったことに応じて、前記文書のページ間でナビゲートするようストロークを処理し、前記ストロークが前記ディスプレイ領域内にあったことに応じて、前記ストローク入力を前記文書に注釈として付け、前記サーバが前記ワークフロー処理における次の工程に関連する複数の携帯用計算装置へ送信できるように前記注釈を付けた文書を前記サーバへ送信し、前記次の工程は、前記注釈を付けた文書に対する更なる処理であり、前記次の工程に関連する複数の携帯用計算装置は、順序付けられた一連の携帯用計算装置である、装置。
【請求項１３】
前記位置バー及びブックストア・モジュールは、ペン入力に応じ、参照マークを追加し、前記参照マークに移動させ、又は参照マークを削除する、請求項１２に記載の装置。
【請求項１４】
前記位置バー及びブックマーク・モジュールはストローク入力を受け取り、前記ストローク入力に対応する、前記位置バー上のストローク位置を判定し、前記ストローク位置に対応するページを判定し、前記提示モジュールと協働して前記判定されたページを表示する、請求項１２に記載の装置。
【請求項１５】
前記位置バー及びブックマーク・モジュールはストローク入力を受け取り、前記ストローク入力が参照マークの近くであるかを判定し、前記参照マークに対応するページを判定し、前記提示モジュールと協働して前記判定されたページを表示する、請求項１２に記載の装置。
【発明の詳細な説明】
【技術分野】
【０００１】
本発明の本実施例は、携帯用計算装置、及び電子文書に関し、特に、携帯用計算装置上での文書ページの表示及び操作のためのユーザ・インタフェースに関する。
【背景技術】
【０００２】
携帯用計算装置の使用は、多くのユーザにとって珍しくなっている。通常のデスクトップ型コンピュータを保有することに加え、多くのユーザは、特定のタイプの携帯用計算装置も保有している。現代の計算装置の例には、ソニー社のリーダー（Ｒｅａｄｅｒ）、アマゾン（Ａｍａｚｏｎ）社のキンドル（Ｋｉｎｄｌｅ）、及びバーンズ・アンド・ノーブル（Ｂａｒｎｅｓ  ＆  Ｎｏｂｌｅ）社のヌック（Ｎｏｏｋ）が含まれる。より小型の携帯用計算装置には、アップル・コンピュータ（Ａｐｐｌｅ  Ｃｏｍｐｕｔｅｒ）社のアイフォン（ｉＰｈｏｎｅ）、リサーチ・イン・モーション（Ｒｅｓｅａｒｃｈ  Ｉｎ  Ｍｏｔｉｏｎ）社のブラックベリー（Ｂｌａｃｋｂｅｒｒｙ）、パーム（Ｐａｌｍ）社のプレ（Ｐｒｅ）などを含む多くのスマートフォンが含まれる。種々のレベルの処理機能及びサイズを提供するノートブック型ラップトップ及びタブレット型コンピュータの売上の増加もみられる。
【０００３】
前述の従来技術の装置における具体的な問題点の１つは、キーボードが含まれていないことが多いという点である。入力用キーボードが備えられていても、通常、ＱＷＥＲＴＹ（フル）キーボードでなく、その代わりに、１２キー電話機型キーパッドである。更に、大半の従来技術の装置は、スタイラスや同様なペン型入力装置を含まない。したがって、文書の操作、及び表示している別々のページ間での切替えは困難であり得る。例えば、多くの場合、ユーザは、文書を横断するために一度に一ページを切り替えなければならない。文書が数百ページの場合、ページ毎のサーチ及び文書操作は制限的であり得る。  
従来技術における別の課題は、計算装置のディスプレイ領域が多くの場合、非常に限られているという点である。上記装置は主に、携帯性の目的で構成されているので、表示サイズが非常に小さいことを要求した、設計上の選択における妥協策が存在している。例えば、スマートフォンの場合、表示サイズは多くの場合、３インチ（７．５ｃｍ）×３インチ（７．５ｃｍ）の小型の矩形よりも小さい。イーブック（ｅ−ｂｏｏｋ）リーダー用でも、表示画面の対角線は７インチ（１７．５ｃｍ）未満である。したがって、表示画面は通常、文書の単一のページの表示を収容するに過ぎない。一般に、同時に複数のページを表示する機能があっても、その機能は限定的である。更に、上述の通り、これらの装置はキーボードを備えておらず、したがって、ユ―ザが後続ページ又は先行ページに移動することを可能にする単純な入力ボタンを提供する。市販されているｅリーダーの大半はスタイラス又はペン型の入力を含んでいないので、前述のボタンの使用は、リーダーによって表示されているページを切り替える唯一のやり方である。
【発明の概要】
【発明が解決しようとする課題】
【０００４】
本発明の本実施例は、携帯用計算装置上での文書ページの表示及び操作のためにユーザ・インタフェースを提供することにより、従来技術の欠点及び制限を克服する。特に、本発明の本実施例は、文書内のページ間で移動するために、操作可能なページ位置表示子又はページ・ボックスを有する位置バーを備える新たなグラフィカル・ユーザ・インタフェースを提供する。グラフィック・ユーザ・インタフェースは、携帯用計算装置によって表示されているページを切り替える旨のペン入力を受け取るよう構成される。位置バーに沿ったページ位置表示子の位置を操作することにより、ユーザは、表示されているページを切り替えることが可能である。グラフィック・ユーザ・インタフェースは更に、ブックマーク機能又は参照機能を提供する。ページ位置表示子は更に、ユーザが位置バーに沿って参照マークを追加することを可能にする。一旦セットされると、ユーザ・インタフェースは更に、マーキングされた位置へ移動させる旨のコマンドとして参照マーク又はブックマークの近くの入力を解釈し、携帯用計算装置に、マーキングされた位置を表示させ、ユーザ・インタフェースを更新させる。
【課題を解決するための手段】
【０００５】
本発明の本実施例のシステムは、位置バー及びブックマーク機能を有する新しいグラフィカル・ユーザ・インタフェースを生成する。一実施例では、携帯用計算装置は、プロセッサ、ディスプレイ、ストローク捕捉機能、並びに、カメラ及び無線通信機能を含む。携帯用計算装置は、文書を受け取り、受け取られた文書にストローク注釈を追加し、受け取られた文書に、捕捉された画像注釈を追加し、注釈を付した文書を送出するよう適合される。
【０００６】
携帯用計算装置は更に、提示モジュールと、位置バー及びブックマーク・モジュールとを含む。提示モジュールは、ストローク注釈の追加、捕捉された画像の追加、及び文書に対して行われる他の動作を可能にするユーザ・インタフェース及びディスプレイ上に文書ページを提示する役割を果たす。位置バー及びブックマーク・モジュールは、提示モジュールと協調してナビゲーション領域を生成する。ナビゲーション領域は、ディスプレイ上に示されている文書のページを識別するページ位置ボックス及び位置バーを含む。位置バー及びブックマーク・モジュールは、ストローク入力を受け取り、表示されている文書のページを切り替え、参照マークをセットするか、又は対応して参照マークを除去する。位置バー及びブックマーク・モジュールによって生成された位置バー及び参照マークは特に効果的である。文書中の何れかの２ページ間で（特に、参照マークが関連付けられたページ間で）遷移する機能、表示されているページの文書内の相対位置、及び文書のサイズについてのユーザへの表示を提示するからである。  
本発明の本実施例は更に、文書の表示されたページを切り替え、参照マークをセットし、参照マークを除去し、参照マークを有するページに切り替える新たな方法を含む。  
本明細書及び特許請求の範囲記載の構成及び効果は網羅的でなく、図及び明細書に鑑みて、更なる多くの構成及び効果が当業者に明らかになるであろう。更に、本明細書において使用する文言は、本発明の主題の範囲を制限するためでなく、主に読みやすさ及び教育の目的で選択している。  
【図面の簡単な説明】
【０００７】
【図１】本発明の本実施例による、位置バー及びブックマーク機能を有するシステムの実施例を示すブロック図である。
【図２Ａ】本発明の本実施例による携帯用計算装置の実施例を示す前面平面図である。
【図２Ｂ】本発明の本実施例による、図２Ａの携帯用計算装置の実施例を示す背面平面図である。
【図３】本発明の本実施例による携帯用計算装置の実施例を示すブロック図である。
【図４】本発明の本実施例によるストローク及び画像ワークフロー・サーバの実施例を示すブロック図である。
【図５】本発明の本実施例による自動文書処理を示す概略フロー図である。
【図６】本発明の本実施例により、位置バーを生成し、参照マークをセットする方法の第１の実施例を示すフローチャートである。
【図７Ａ】本発明の本実施例による、ブックマーク機能を有する位置バーを生成し、上記位置バーと相互作用する方法の実施例を示すブローチャートである。
【図７Ｂ】本発明の本実施例による、ブックマーク機能を有する位置バーを生成し、上記位置バーと相互作用する方法の実施例を示すブローチャートである。
【図８】本発明の本実施例によるインボックス・ユーザ・インタフェースの一実施例を示す図的表現である。
【図９】本発明の本実施例によるフォーム・ビュー又はユーザ・インタフェースの一実施例において表示される例示的なフォームを示す図的表現である。
【図１０】本発明の本実施例によるページ・ボックスの選択前及び選択後のナビゲーション領域を示すユーザ・インタフェースの一実施例の部分断面を示す図的表現である。
【図１１】本発明の本実施例による位置バーの選択前及び選択後のナビゲーション領域を示すユーザ・インタフェースの一実施例の部分断面を示す図的表現である。
【図１２】本発明の本実施例による参照マークの選択前及び選択後のナビゲーション領域を示すユーザ・インタフェースの一実施例の部分断面を示す図的表現である。
【図１３】本発明の本実施例によるページ位置表示子の選択前及び選択後のナビゲーション領域を示すユーザ・インタフェースの一実施例の部分断面を示す図的表現である。
【図１４】本発明の本実施例による複数の参照マークを有するナビゲーション領域を示すユーザ・インタフェースの一実施例の部分断面を示す図的表現である。
【図１５】本発明の本実施例によるナビゲーション領域を示すユーザ・インタフェースの第２の実施例の部分断面を示す図的表現である。
【発明を実施するための形態】
【０００８】
本発明は、添付図面の図における制限でなく、例示によって示し、同じ参照符号は、同様な構成要素を表すために使用される。  
【実施例】
【０００９】
１００  システム  
１０２  携帯用計算装置  
１０４  ネットワーク  
１０６  ストローク及び画像ワークフロー・サーバ
１０８  コンピュータ  
１１０  データ記憶装置  
１１２  結合  
１１６  信号線  
１１８  信号線  
１２０  信号線  
２０２  計算パッド  
２０４  スタイラス  
２０６  ディスプレイ装置  
２０８  ストローク捕捉装置及びモジュール
２１０  入力装置  
２１２  入力装置  
２１４  入力装置  
２１６  入力装置  
２１８  入力装置  
２２０  出力装置  
３０２  プロセッサ  
３０４  メモリ  
３０６  通信装置  
３０８  一意の装置ＩＤ  
３１０  クロック  
３１２  メタデータ・モジュール  
３１４  ロギング・モジュール  
３１６  文書転送モジュール
３１８  文書作成モジュール
３２０  バス  
３２２  提示モジュール  
３２４  他のアプリケーション  
３２６  他のＩ／Ｏ装置  
３２８  位置バー及びブックマーク・モジュール
４０２  プロセッサ  
４０４  メモリ  
４０６  通信装置  
４０８  文書転送モジュール  
４１０  クロック  
４１２  ワークフロー・モジュール  
４１６  ロギング・モジュール  
４１８  他のアプリケーション  
４２２  ディスプレイ装置  
４２４  出力装置  
４２６  一意の装置ＩＤ  
４２８  入力装置  
４３０  検証モジュール  
５０２  インボックス  
５０４  文書  
５１２  バックアップ・サーバ  
７５０  下部領域  
位置バー及びブックマーク機能を有する新しいグラフィカル・ユーザ・インタフェースを生成するシステムを以下に説明する。以下の説明では、説明の目的で、本発明の詳細な理解を得るために数多くの具体的な詳細を記載している。しかし、前述の具体的な詳細なしで本発明を実施することが可能であることは当業者に明らかとなるであろう。他の場合には、本発明を不必要に分かりにくくすることを避けるために構造及び装置をブロック図で示す。例えば、本発明の本実施例は、電子ペーパー、ｅペーパー、又は電子インク・ディスプレイを利用する、アマゾン（Ａｍａｚｏｎ）社のキンドル（Ｋｉｎｄｌｅ）のようなハードウェア及びソフトウェア・プラットフォームにおいて例示される携帯用計算装置を参照して以下に一実施例において説明する。しかし、本発明の本実施例は、インク、データ、及びコマンドを捕捉し、電子的に文書を送出することが可能な何れかのタイプの携帯用計算装置に適用される。  
本明細書において、「一実施例」又は「実施例」に言及されていることは、実施例に関して説明した特定の構成、構造、又は特性が、本発明の少なくとも１つの実施例に含まれているということを意味する。本明細書の随所に「一実施例において」の句が存在していることは、必ずしも、全て、同じ実施例を参照している訳でない。特に、本発明の本実施例は別個の２つのアーキテクチャにおいて説明し、構成部分の一部は、両方のアーキテクチャで動作可能である一方、他の構成部分はそうでない。  
以下に続く詳細な説明の特定の部分は、コンピュータ・メモリ内のデータ・ビットに対する動作の記号表現及びアルゴリズムによって示す。前述のアルゴリズム記述及び表現は、当業者に向けてその作品の本質を最も効果的に伝えるためにデータ処理技術分野における当業者によって使用される手段である。アルゴリズムは本明細書及び特許請求の範囲では、かつ、一般には、所望の結果につながる首尾一貫した一連の工程であると理解される。工程は、物理的数量の物理的操作を必要とするものである。必ずしもそうでないが通常は、前述の数量は、記憶し、転送し、合成し、比較し、その他のやり方で操作することが可能な電気信号又は磁気信号の形態をとる。主に慣用の理由で前述の信号をビット、値、要素、記号、文字、項、数字等として表すことが時には便利であることが明らかになっている。  
しかし、前述及び同様な語は全て、適切な物理的数量と関連付けられるものであり、前述の数量に付される便利なラベルに過ぎないということを念頭におくべきである。以下の記載から明らかであるように、別途明記していない限り、「処理」、「計算」、「算出」、「判定」、「表示」等などの語を利用する記載は、コンピュータ・システムのレジスタ内若しくはメモリ内、又は、他の当該情報記憶装置内、送信装置内、又はディスプレイ装置内の物理的数量として同様に表される他のデータに、コンピュータ・システムのレジスタ内及びメモリ内の物理的（電子的）数量として表されるデータを操作し、変換するコンピュータ・システム、又は同様な電子計算装置の動作及び処理を表す。  
本発明の本実施例は更に、本明細書及び特許請求の範囲記載の動作を行う装置に関する。前述の装置は、所要の目的のために特別に構成し得るか、又は、コンピュータに記憶されたコンピュータ・プログラムによって選択的に起動又は再構成された汎用コンピュータを含み得る。前述のコンピュータ・プログラムは、限定列挙でないが、ランダム・アクセス・メモリ（ＲＡＭ）、リードオンリ・メモリ（ＲＯＭ）、ＥＰＲＯＭ、ＥＥＰＲＯＭ、磁気又は光カード、光磁気ディスク、ＣＤ−ＲＯＭ、光ディスク、フロッピー（登録商標）・ディスクを含む何れかのタイプのディスク、又は、電子的命令を記憶するのに適した何れかのタイプの媒体であって、それぞれがコンピュータ・システム・バスに結合された媒体などのコンピュータ読み取り可能な記憶媒体に記憶し得る。  
本発明は、全面的にハードウェアの実施例の形態、全面的にソフトウェアの実施例の形態、又はハードウェア構成要素及びソフトウェア構成要素を含む実施例の形態をとり得る。好ましい実施例では、本発明は、限定列挙でないが、ファームウェア、常駐ソフトウェア、マイクロコード等を含むソフトウェアで実現される。  
更に、本発明は、コンピュータ又は何れかの命令実行システムによる、若しくは、コンピュータ又は何れかの命令実行システムに関する使用のためにプログラム・コードを提供するコンピュータ使用可能な媒体又はコンピュータ読み取り可能な媒体によってアクセス可能なコンピュータ・プログラム・プロダクトの形態をとり得る。本明細書の目的では、コンピュータ使用可能な媒体又はコンピュータ読み取り可能な媒体は、命令実行システム、装置、又はデバイスによる、又は命令実行システム、装置、又はデバイスに関する使用のためにプログラムを含め、記憶し、通信し、伝搬させ、若しくは伝送することがあり得る何れかの装置であり得る。  
媒体は、電子的、磁気的、光学的、電磁的、赤外、若しくは半導体システム（若しくは装置若しくはデバイス）又は伝搬媒体であり得る。コンピュータ読み取り可能な媒体の例には、半導体又はソリッド・ステート・メモリ、磁気テープ、着脱可能なコンピュータ・ディスケット、ランダム・アクセス・メモリ（ＲＡＭ）、リードオンリ・メモリ（ＲＯＭ）、リジッド磁気ディスク、及び光ディスクを含む。光ディスクの現在の例には、コンパクト・ディスク  リードオンリ・メモリ（ＣＤ−ＲＯＭ）、コンパクト・ディスク  リード／ライト（ＣＤ−Ｒ／Ｗ）、及びＤＶＤが含まれる。  
プログラム・コードを記憶し、かつ／又は実行するのに適したデータ処理システムは、システム・バスを介してメモリ要素に直接又は間接に結合された少なくとも１つのプロセッサを含む。メモリ要素は、実行中にコードを大容量記憶装置から取り出さなければならない回数を削減するために少なくとも一部のプログラム・コードの一時記憶装置を提供するキャッシュ・メモリ、大容量記憶装置、プログラム・コードの実際の実行中に使用される局所メモリを含み得る。  
入出力又はＩ／Ｏデバイス（限定列挙でないが、キーボード、ディスプレイ、ポインティング・デバイス等を含む）は、直接、又は介在するＩ／Ｏコントローラを介してシステムと結合し得る。  
ネットワーク・アダプタは、データ処理システムが、介在するプライベート・ネットワーク又はパブリック・ネットワークを介して他のデータ処理システムあるいは遠隔プリンタあるいは記憶デバイスに結合されることを可能にし得る。モデム、ケーブル・モデム、及びイーサネット（登録商標）カードは、現在入手可能なタイプのネットワーク・アダプタのうちのわずか一部に過ぎない。
【００１０】
最後に、本明細書及び特許請求の範囲に示すアルゴリズム及びディスプレイは、何れかの特定のコンピュータ又は他の装置に固有に関連しているものでない。本明細書及び特許請求の範囲記載の教示に応じて種々の汎用システムをプログラムとともに使用し得るか、又は、所要の方法工程を行うよう更に専門化された装置を構成することが便利であることが明らかになり得る。前述の種々のシステムに必要な構造は、以下の説明で示す。更に、本発明の本実施例は、特定のプログラミング言語を参照して説明する。本明細書及び特許請求の範囲記載の本発明の教示を実現するために、種々のプログラミング言語を使用し得るということが分かるであろう。
【００１１】
システム概要  
図１は、自動ストローク及び画像ベースのワークフロー用のシステム１００の実施例を示す。次に図１を参照するに、システム１００のこの実施例は、複数の携帯用計算装置１０２ａ−１０２ｎ、ネットワーク１０４、コンピュータ１０８、ストローク及び画像ワークフロー・サーバ１０６、及びデータ記憶装置１１０を含む。  
複数の携帯用計算装置１０２ａ−１０２ｎは、それぞれの結合１１ａ−１１２ｎを介してネットワーク１０４に無線で結合される。一実施例では、携帯用計算装置１０２ａ−１０２ｎは、ディスプレイ、ストローク捕捉機能、及び無線通信機能を含む携帯用計算装置である。携帯用計算装置１０２ａ−１０２ｎは、画像（例えば、フォーム又は文書）を受け取り、受け取られた画像にストローク注釈を追加し、注釈を付した受け取られた画像を送出するよう適合される。携帯用計算装置１０２ａ−１０２ｎの実施例は、図２及び図３を参照して以下に更に詳細に説明する。  
ネットワーク１０４は、有線又は無線の通常のタイプのものであり、スター構成、トークン・リング構成、又は当業者に知られている他の構成などの何れかの数の構成を有し得る。更に、ネットワーク１０４は、ローカル・エリア・ネットワーク（ＬＡＮ）、ワイド・エリア・ネットワーク（ＷＡＮ）（例えば、インターネット）、及び／又は、複数の装置が通信し得る何れかの他の相互接続されたデータ経路を含み得る。更に別の実施例では、ネットワーク１０４はピアツーピア・ネットワークであり得る。ネットワーク１０４は更に、各種通信プロトコルでデータを送出するために、電気通信ネットワークの部分に結合し得るか、又は上記部分を含む。更に別の実施例では、ネットワーク１０４は、ショート・メッセージング・サービス（ＳＭＳ）、マルチメディア・メッセージング・サービス（ＭＭＳ）、ハイパーテキスト転送プロトコル（ＨＴＴＰ）、直接データ変換、ＷＡＰ、電子メール等経由などでデータを送出し、受け取るための、ブルートゥース（登録商標）通信ネットワーク又はセルラー通信ネットワークを含む。  
コンピュータ１０８は、パソコンやハードウェア・サーバなどの通常のタイプのものである。コンピュータ１０８は、信号線１１８により、ネットワーク１０４に結合される。一実施例では、コンピュータは、ワークフローに応じて、特定のフォームの処理を検証し、又は処理用のフォームを当初、入力するために、ストローク及び画像ワークフロー・サーバ１０６にアクセスし、ストローク及び画像ワークフロー・サーバ１０６と通信することが可能である。例えば、ユーザは、コンピュータ１０８を使用して、更なる処理のためにＰＤＦファイルなどの文書をストローク及び画像ワークフロー・サーバ１０６に入力することができる。同様に、コンピュータ１０８は、そのワークフローによる処理全てが完了した後、記入されたフォームの受け手であり得る。コンピュータ１０８は、ストローク及び画像ワークフロー・サーバ１０６の検証モジュール４３０（図４参照）と通信して、特定のフォームの処理の完了又はステータスを検証し得る。最後に、コンピュータ１０８は、ワークフローの中間段階として電子文書を処理し、更に、ストローク及び画像ワークフロー・サーバ１０６の機能の一部を含み、携帯用計算装置１０２ａ−１０２ｎと直接通信し得る。  
ストローク及び画像ワークフロー・サーバ１０６は、携帯用計算装置１０２ａ−１０２ｎと通信するために信号線１１６を介してネットワーク１０４に結合される。ストローク及び画像ワークフロー・サーバ１０６は、文書伝送モジュール４０８、ワークフロー・モジュール４１２、ロギング・モジュール４１６、及び検証モジュール４３０を含む（図４参照）。ストローク及び画像ワークフロー・サーバ１０６は、携帯用計算装置１０２ａ−１０２ｎとの間で文書を送出し、受け取り、検証のためにログを維持し、紙に似たワークフローを実現し、文書を処理する。これは特に効果的である。ストローク及び画像ワークフロー・サーバ１０６が、携帯用装置のユーザのために紙に似たワークフローを実現し、ユーザに処理が見えないように電子文書の処理のオーバヘッドを扱うからである。  
データ記憶装置１１０は、信号線１２０を介してストローク及び画像ワークフロー・サーバ１０６に結合される。別の実施例では、データ記憶装置１１０は、ネットワーク１０４により、ストローク及び画像ワークフロー・サーバ１０６に結合される。例えば、前述の別の実施例では、データ記憶装置１１０は、アマゾンＳ３などのオンライン記憶ウェブ・サービスである。データ記憶装置１１０は、不揮発性メモリ装置又は同様な永久的な記憶装置及び媒体である。データ記憶装置１１０は、プロセッサ３０２用のデータ及び命令を記憶し、フラッシュ・メモリ装置、ＤＶＤ−ＲＷ装置、ＤＶＤ−ＲＡＭ装置、ＤＶＤ−ＲＯＭ装置、ＣＤーＲＯＭ装置、フロッピー（登録商標）・ディスク・ドライブ、ハード・ディスク・ドライブ、又は当該技術分野において知られている何れかの他の大容量記憶装置を含む１つ又は複数の装置を含む。データ記憶装置１１０は、処理ログなどのワークフロー処理についての情報を記憶するために使用される。  
図１のシステムは、１つのストローク及び画像ワークフロー・サーバ１０６のみを示すが、例えば、他の機能、企業、機関、組織構造に特化した何れかの数の更なるワークフロー・サーバが存在し得る。計算装置１０２ａ−ｎは、２つ以上のストローク及び画像ワークフロー・サーバ１０６と通信し得る。特定のページ、又は文書のうちの部分は、別々のワークフロー・サーバに関連付け得る。更に、複合文書の一部を、複合文書全部を送出するのでなく、転送することが可能である。
【００１２】
携帯用計算装置  １０２  
次に図２Ａ、図２Ｂ、及び図３を参照すれば、携帯用計算装置１０２の実施例を更に詳細に説明する。携帯用計算装置１０２は計算パッド２０２及びスタイラス２０４を備える。別の実施例では、携帯用計算装置１０２は計算パッド２０２のみを含み得、ユーザは、その指又はペンに似た他の物体をスタイラスとして使用することが可能である。計算パッド２０２は、画像を表示し、画像上に書かれた何れかのストロークを記録する。ストロークは、通常、紙上にペンで書かれたかのように画像上に直ちに表示される。ストロークは更に、通常、一連の点又はセグメントとして捕捉される。通常、特定のタイミング情報がストロークによって捕捉され、時には、圧力情報が捕捉される。パッドとの至近性に対する、パッドとの接触を示す「ペン・アップ」及び「ペン・ダウン」も、ストロークによって記録し得る。一部の場合には、スタイラス２０４は、識別子あるいはボタンあるいは異なる「端部」を有し得、これも、ストロークにより、記録することが可能である。一部の場合には、ペン又はスタイラス２０４の速度及び／又はペンの加速度も記録される。一部の場合には、表示表面に対するペンの角度又はペンの回転などのペン又はスタイラス２０４の他の局面も記録される。  
計算パッド２０２は、ディスプレイ装置２０６と、ストローク捕捉装置及びモジュール２０８と、複数の入力装置２１０乃至２１６と、カメラ２１８と、出力装置２２０と、プロセッサ３０２と、メモリ３０４と、通信装置３０６と、一意の装置識別子の記憶装置３０８と、クロック３１０と、メタデータ・モジュール３１２と、ロギング・モジュール３１４と、文書転送モジュール３１６と、文書作成モジュール３１８と、バス３２０と、提示モジュール３２２と、他のアプリケーション３２４と、位置バー及びブックマーク・モジュール３２８とを備える。  
次に図２Ａ及び図２Ｂを参照するに、計算パッド２０２の一実施例を示す。本実施例では、ディスプレイ装置２０６は、イーインク（Ｅ−ｉｎｋ）社によって製造・販売されるものなどの電子ペーパー・ディスプレイである。他の実施例では、ディスプレイ装置２０６は、液晶ディスプレイ（ＬＣＤ）又は何れかの他の同様に装備されたディスプレイ装置、画面、又はモニタである。ディスプレイ装置２０６は、本明細書及び特許請求の範囲記載の電子画像及びデータを表示するよう装備された何れかの装置を表す。ディスプレイ装置２０６は、少なくとも小さな情報「ページ」を示すために十分なサイズに設定される。別々の実施例では、ディスプレイは２値であり（画素の場合、別々の２つの値のみ）であるか、モノクロ（一色の複数の色合い）であるか、又は複数の色及び色合いを可能にする。ディスプレイ装置２０６は好ましくは、軽量の低電力ディスプレイである。一実施例では、ディスプレイ装置２０６は、屋外での使用のために発光でなく反射光を使用し、使用する電力は少ない。ディスプレイ装置２０６は、更に、上記ディスプレイ装置がない場合には紙上に表示され得る情報を表示するために高解像度を有するが、ディスプレイ装置２０６は、ＬＣＤディスプレイに共通の６０Ｈｚのリフレッシュ・レートよりもずっと低い更新速度を許容する。  
ディスプレイ装置２０６に合わせて、ディジタル化タブレット又はグラフィクス・パッドなどのストローク捕捉装置２０８が存在している。ストローク捕捉装置２０８は、ディスプレイの上方、下方又は周辺にあり得る受信器を備えた音検出装置、電磁検出装置、若しくは光検出装置、又は接触検出装置である。ストローク捕捉装置２０８は、スタイラス２０４、又は指若しくは他の手段からのストロークを受け付けることができる。ストローク捕捉装置２０８は、スタイラス２０４のセンサであり、認識可能な手書き、印刷、及び他の図を捕捉するのに十分な解像度を有する。一実施例では、ディスプレイ装置２０６には、透明のタッチ感応パネルがディスプレイ装置２０６の画面を覆うタッチ画面が装備される。一実施例では、ストローク捕捉装置２０８は、ワコム（Ｗａｃｏｍ）社によって製造し、販売されるディジタイザである。別の実施例では、ストローク捕捉装置２０８は、単一の接触点の水平位置及び垂直位置を返す単純なセンサである。更に別の実施例では、圧力、位置、時間の示度を返し、（例えば、消去するために）スタイラスが反転しているか、又は、ボタンがスタイラス上で押されているかの表示、スタイラス２０４のＩＤ番号若しくはタイプを返す複雑な複数のセンサである。一部のセンサは複数の接触点を返し得る。一部のセンサは、スタイラス・ベースのタッチ入力と、指ベースのタッチ入力とを区別することができる場合がある。ストローク捕捉装置２０８は、ストローク捕捉モジュール２０８の一部であるか、又は、ストローク捕捉モジュール２０８と通信するよう適合される。  
スタイラス２０４に加えて、計算パッド２０２は、コマンドを入力するために複数の入力装置２１０乃至２１６を提供する。図２Ａに示すように、計算パッド２０２の上端上の第１のボタン２１０は、選択されると、計算パッド２０２をオン／オフにする。一実施例では、第１のボタン２１０は、計算パッド２０をスリープ・モードに入れるよう、短い持続時間の間、選択し、計算パッド２０２をオフにするよう、長い持続時間の間、押し下げることが可能である。第２のボタン２１２は、カメラ２１８の動作を制御し、選択されると、カメラ２１８に画像を捕捉させる。第３のボタン２１４は、選択されると、文書の注釈が完了しており、文書が計算パッド２０２によって送出される旨を示す。第４の入力ボタン２１６の対は、ユーザが文書の後続ページ又は先行ページに移行することを可能にする。ボタンとしての前述の入力装置が複数の入力装置２１０乃至２１６の一実施例に過ぎず、本発明の本実施例の趣旨及び範囲内に、より少ない数のボタン若しくは入力装置、又はより多い数のボタン若しくは入力装置の種々の他の構成が存在しているということを当業者は認識するであろう。特に、別の実施例では、計算パッド２０２は非常に少ない数のボタンを有する（か、又はボタンを有しない）。ボタンが、紙に似ていると認識されている装置を妨げ得るからである。  
前述の実施例では、ネットワーク接続性が存在している限り、ストローク及び他のメタデータが連続して送信される。ページ、又はページの組の完了は、パッド上の「送出」ボタン又は「リジェクト」ボタンを押すことによって示し得るか、又は、表示されたページ上に領域が存在し得、上記領域にストロークを加えることにより、適切なデータの送出をもたらし得る。複数の入力装置２１０乃至２１６について各種の数及び構成が存在しているということを当業者は認識するであろう。例えば、別の構成は、電源用に１つのボタンを含み、送出用に１つのボタンを含む。第２の例では、１つ又は複数のボタン、及び指の位置に応じて多数のページのうちのページを選ぶためのスライダを有する。  
次に図２Ｂを参照すれば、計算パッド２０２の裏面側を示す。計算パッド２０２は、裏面側にカメラ２１８を含み、表面側に出力装置２２０を含む。図２Ｂに示すように、カメラ２１８は、上部の左隅部において計算パッド２０２の裏面側でそのレンズが外側を向いて配置される。カメラ２１８は、携帯電話機上、又はノートブック型コンピュータ上で利用可能なものなどの通常のタイプのものである。出力装置２２０は、図２Ａに示し、計算パッド２０２の表面側にある。出力装置２２０は、小さな画像を表示する装置であり、カメラのビューファインダーとして使用される。一実施例では、出力装置２２０は、有機発光ダイオード（ＯＬＥＤ）であり、カメラが動作状態にある場合にのみ、動作状態にある。別の実施例では、出力装置２２０は、１）計算パッド２０２に電源があって、動作状態にあるか否か、２）計算パッド２０２にネットワーク接続性があるか否か、３）計算パッド２０２が、複合文書を送受信しているか否か等などの、装置のステータスを示すために使用される。出力装置２２０の一部であり得る、上記のものを越える更なる各種のステータス表示子が存在し得るか、又はそのステータスが主ディスプレイ２０６を介して供給され得るということを当業者は認識するであろう。  
次に図３を参照すれば、計算パッド２０２の残りの構成部分を説明する。  
プロセッサ３０２は、計算を行い、電子表示信号をディスプレイ装置２０６に供給し、ストローク入力を検出し、処理するために算術論理装置、マイクロプロセッサ、汎用コントローラ、又は特定の他のプロセッサ・アレイを含む。プロセッサ３０２は、計算パッド２０２の他の構成部分と通信するためにバス３２０に結合される。プロセッサ３０２は、データ信号を処理し、高度命令セット・コンピュータ（ＣＩＳＣ）アーキテクチャ、縮小命令セット・コンピュータ（ＲＩＳＣ）アーキテクチャ、又は命令セットの組み合わせを実現するアーキテクチャを含む種々の計算アーキテクチャを含み得る。単一のプロセッサのみを図３に示しているが、複数のプロセッサを含み得る。計算パッド２０２の処理機能は、ストロークの伝送、記録ストローク、及び画像の表示のサポートに制限され得る。処理機能は、各種画像処理、ストローク処理、又は認識タスクを含む高度なタスクを行うのに十分であり得る。他のプロセッサ、オペレーティング・システム、センサ、ディスプレイ、及び物理的な構成が考えられるということが当業者に明らかになるであろう。計算パッド２０２は、限定列挙でないが、ウィンドウズ（登録商標）、ＭａｃＯＳ  Ｘ、アンドロイド、又はＵＮＩＸ（登録商標）ベースのオペレーティング・システムなどの、プロセッサによって実行可能なオペレーティング・システムも含む。  
メモリ３０４は、プロセッサ３０２によって実行され得るデータ及び／又は命令を記憶する。命令及び／又はデータは、本明細書及び特許請求の範囲記載の手法の何れか、及び／又は全てを行うためのコードを含み得る。メモリ３０４は、ダイナミック・ランダム・アクセス・メモリ（ＤＲＡＭ）装置、スタティック・ランダム・アクセス・メモリ（ＳＲＡＭ）装置、フラッシュ・メモリ、又は当技術分野において知られている特定の他のメモリ装置であり得る。一実施例では、メモリ３４０は、より恒久的にログ情報を記憶するためのフラッシュ・ドライブ又はハード・ディスク・ドライブなどの不揮発性メモリも含む。メモリ３０４は、計算パッド２０２の他の構成部分と通信するためにバス３２０に結合される。  
通信装置３０６はアンテナ及びバス３２０に結合される。別の実施例では、通信装置３０６は、ネットワーク１０４に対する直接の物理的接続のためのポートを提供し得る。通信装置３０６は、複合文書を送受信するためのトランシーバを含む。一実施例では、通信装置３０６は、アクセス・ポイントとの無線通信のためのワイファイ（Ｗｉ−Ｆｉ）トランシーバを含む。別の実施例では、通信装置３０６は、他の装置と無線通信するためにブルートゥース（登録商標）トランシーバを含む。更に別の実施例では、通信装置３０６は、ショート・メッセージング・サービス（ＳＭＳ）、マルチメディア・メッセージング・サービス（ＭＭＳ）、ハイパーテキスト転送プロトコル（ＨＴＴＰ）、直接データ接続、ＷＡＰ、電子メール等などのセルラー通信ネットワークを介してデータを送受信するセルラー通信トランシーバを含む。更に別の実施例では、通信装置３０６は、限定列挙でないが、ＵＳＢ、ＳＤ、ＣＡＴ−５等などの、有線の接続性のためのポートを含む。通信装置３０６は、複数の処理システムを含み得るネットワーク１０４及びプロセッサ３０２をつなぐ。処理システムのネットワークは、ローカル・エリア・ネットワーク（ＬＡＮ）、ワイド・エリア・ネットワーク（例えば、インターネット）、及び／又は複数の装置が通信し得る相互接続された何れかの他のデータ経路を含み得る。通信装置３０６は更に、当業者が分かるように、ＴＣＰ／ＩＰ、ＨＴＴＰ、ＨＴＴＰＳ、及びＳＭＴＰなどの標準ネットワーク・プロトコルを使用してファイル（メディア・オブジェクト）を配信するためにネットワーク１０４との他の通常の接続も提供する。  
計算パッド２０２は、一意の装置識別子３０８のための記憶装置を含む。計算パッド２０２は、必要に応じて他の構成部分に一意の識別子を供給するためにバス３２０に結合される。一実施例では、記憶装置は、一意の装置識別子３０８を記憶するためのリードオンリ・メモリである。別の実施例では、一意の識別子の記憶装置３０８は、公開鍵・秘密鍵の対を記憶する不揮発性の記憶装置である。別の実施例では、公開鍵・秘密鍵の対が、装置の主基板又はＣＰＵと一体化された専用トラステッド計算メモリ内に記憶される。種々の通信プロトコルのために、又はストロークが記録された場所を示すために使用される一意の識別子を計算パッド２０２が有することは有用である。一実施例では、一意の識別子は、計算パッド２０２内のネットワーク・チップのハードウェアＭＡＣアドレスである。一意の識別子３０８は、メモリ装置３０４内の不揮発性記憶装置内にあるか、又は通信装置３０６などの別の機能ブロックの内部部分であり得る。別の実施例では、一意の識別子は、計算パッド２０２上のメモリ・カードに関連付けられた一意のＩＤであり、それにより、特定の装置との関連付けは、メモリ・カードが移動した場合（予期される挙動であり得る）に、別の装置に移動することになる。一意の識別子は、種々の動作に有用であるが、通常、提供されるセキュリティはあまりない。ハードウェアＭＡＣアドレスは例えば、他の装置によって模倣することが可能である。よって、ＲＳＡ（登録商標）などの公開鍵暗号システムからの鍵の対と装置を関連付けることが時には有意義である。一実施例では、計算パッド２０２は、配布される公開鍵及び秘密鍵によって製造されるか、又は構成される。次いで、計算パッド２０２は、装置上で生じるストローク、画像、ログ、又は他の媒体のディジタル署名のためにその秘密鍵を使用することが可能である。前述の媒体を検証するために公開鍵が使用される場合もある。更に、公開鍵は、装置との秘密通信を提供するために使用することができる。暗号化のために装置の公開鍵を使用することにより、単に特定の計算パッド２０２を目的とするページ画像又はメタデータへの他者のアクセスが制限される。  
クロック３１０は、通常タイプのものであり、計算パッド２０２の現地時間の示度を提供する。特に、クロック３１０は、複合文書が処理される現地時間を提供するために使用される。この時間値は、ロギング・モジュール３１４を使用して局所ログ・ファイル内のデータとともに記憶される。クロック３１０は、システム・バス３２０を使用してプロセッサ３０２及びロギング・モジュール３１４にこの情報を通信するよう適合される。  
メタデータ・モジュール３１２は、文書からメタデータを抽出し、文書の一部としてメタデータを記憶するためのルーチンを含むソフトウェアである。一実施例では、メタデータ・モジュール３１２は、画像／ページ・メタデータ及び文書メタデータにアクセスするために、図５乃至図９を参照して、下記の機能を提供する旨の、プロセッサ３０２によって実行可能な命令である。別の実施例では、メタデータ・モジュール３１２は、ユーザ・インタフェースを提示し、ストローク情報を捕捉し、ワークフローに応じて文書をルーティングする（携帯用計算装置１０２との間で文書を送受信する）ためのソフトウェア及びルーチンである。一実施例では、メタデータ・モジュール３１２は、メモリ３０４に記憶され、プロセッサ３０２によってアクセス可能であり、実行可能である。いずれにせよ、メタデータ・モジュール３１２は、プロセッサ３０２、及び計算パッド２０２の他の構成部分と協調し、通信するよう適合される。
【００１３】
ロギング・モジュール３１４は、メモリ３０４内に（特に、メモリ３０４の不揮発性記憶部分内に）局所ログを作成し、記憶するためのルーチンを含むソフトウェアである。一実施例では、ロギング・モジュール３１４は、ストローク及び画像ワークフロー・サーバ１０６及び計算パッド２０２において、もつれたログにメタデータを記憶するために、プロセッサ３０２によって実行可能なルーチンの組である。ロギング・モジュール３１４は、トランザクションにおけるワーフフロー完了の検証を提供するうえで特に死活的である。一実施例では、ロギング・モジュール３１４は、その特定の計算パッド２０２のログをネットワーク上の公に利用可能な場所で公表又は記憶するためのルーチンも含む。ロギング・モジュール３１４は、プロセッサ３０２、メモリ３０４、及び通信装置３０６にバス３２０によって結合される。  
文書転送モジュール３１６は、ストローク及び画像ワークフロー・サーバ１０６との間で文書を送受信するためのソフトウェア及びルーチンである。他の実施例では、限定列挙でないが、コンピュータ１０８、ストローク及び画像ワークフロー・サーバ１０６、又は他の携帯用計算装置１０２などの何れかの他の計算装置との間で、フォーマッティングされたメッセージなどの文書を送受信する。文書転送モジュール３１６は、プロセッサ３０２及び通信装置３０６との通信のためにバス３２０に結合される。文書転送モジュール３１６は、電子メール、ファイル転送、ＸＭＰＰ、又は専用アプリケーションなどにより、計算パッド２０２との間で文書、又はフォーマッティングされたメッセージを送受信する役割を果たす。  
第１の実施例では、文書転送モジュール３１６は、インデクスとしての役目を担うディレクトリ構造を維持する、計算パッド２０２上で動作するクライアント・ソフトウェアである。文書転送モジュール３１６は、文書を、ストローク及び画像ワーフフロー・サーバ１０６上の対応するインボックスからこのディレクトリに移動させる。計算パッド２０２のインボックス内の文書に注釈が付され、ユーザが送出命令を入力すると、文書転送モジュール３１６は、ディレクトリ構造から文書を除去し、更に処理するためにストローク及び画像ワークフロー・サーバ１０６に転送する。  
第２の実施例では、文書転送モジュール３１６は、アタッチメントがある電子メールを受け取り、送出することができる電子メール・クライアントである。電子メール・クライアントは、プロセッサ３０２上で動作可能である。メール・サーバは通常、メール・クライアントにデータを伝送するためにＰＯＰプロトコル又はＩＭＡＰプロトコルを使用し、計算パッド２０２は、何れかを使用するよう構成される。メッセージは、計算パッド２０２が直接使用可能なフォーマット（例えば、画像ファイルのアタッチメント）を直接使用することが可能である。メッセージは、計算パッド２０２上の変換を必要とするフォーマットのもの（例えば、ｐｄｆ文書）である。あるいは、特別なメール・サーバは、パッドが複数のフォーマットをサポートしなくてよいようにメッセージの変換を提供することが可能である。例えば、上述の部門のインボックスなど、一度しか行ってはならないワークを配分するためにワークフローにおいて複数の装置が使用される場合、ＩＭＡＰの使用が効果的である。複数の装置１０２ａ−ｎは、同じＩＭＡＰサーバ及び「ユーザ名」を有するクライアントとして構成し得る。装置１０２ａ−ｎの群は、フォーム全てを「インボックス」に表示し得る。何れかの装置１０２ａ−ｎ上の何れかのユーザが、「処理済」としてフォームにマーキングすると、装置はそのメッセージをインボックスから出し、場合によっては、ＩＭＡＰサーバ上の「処理済」ボックスに入れる。他の装置１０２ａ−ｎは、ＩＭＡＰサーバ上の「インボックス」を検査すると、ページがもう存在しておらず、それをもう表示しないと判定する。パッドがページ若しくはストローク又は複数のページ及びストロークを送出する必要があると、パッドは、電子メール・クライアントとしてふるまい、場合によっては、圧縮され、単一のファイルに合成されたディレクトリ構造のページを伴ってメールを送出することが可能である。  
第３の実施例では、文書転送モジュール３１６は、ファイル転送を行うためのルーチンである。計算パッド２０２との間で文書を移動させるために種々のファイル転送方法を使用することが可能である。計算パッド２０２は、ｆｔｐ、ｈｔｔｐ、又はｗｅｂｄａｖサーバを実行させることが可能であり、他の装置は計算パッド２０２上の文書をプッシュし、又はプルすることが可能である。計算パッド２０２は更に、やはり、ｆｔｐ、ｈｔｔｐ、ｒｓｙｎｃ、ｗｅｂｄａｖ、又は別のプロトコルを介して新たな文書を得るか、又は外部サーバに新たな文書を送るよう構成することが可能である。  
第４の実施例では、文書転送モジュール３１６は、ＭＭＳを介した通信用、又は他の通信プロトコル用などのクライアント通信プログラムである。インスタント・メッセージングにおいて使用されるプロトコルであるＸＭＰＰは、パッドとの間の文書及びストロークの通信を提供するために使用される。インスタント・メッセージング・プロトコルは有用である。別のメンバーがメッセージを送信している間にも、メッセージング・グループの何れかのメンバーがメッセージを開始することが可能であるからである。計算パッド２０２にとって、これは、パッドからサーバにストロークが送信されるのと同時にサービスがパッド用の画像を送信することを可能にする。計算パッド２０２の群がディスプレイ空間を共有しており、よって、上記グループのメンバー全てが、新たなストロークについて通知され得る場合に、インスタント・メッセージング・プロトコルは更に有用であり得る。
【００１４】
第５の実施例では、文書転送モジュール３１６は、カスタム・アプリケーションである。当然、情報は、パッドに特有のＡＰＩを使用してパッドと協働するよう企図された特定用途のアプリケーションにより、計算パッド２０２に転送し得る。インストラクタは、ファイルを移動させるために使用される特定の方法を知ることなく、パッドの図的表現上にワークシートを「ドラッグ・アンド・ドロップ」したいことがあり得る。例示的な１つの実施例では、文書転送モジュール３１６はｒｓｙｎｃである。Ｒｓｙｎｃは、適宜、デルタ符号化を使用してデータ転送を最小にする一方で、１つの場所から別の場所にファイル及びディレクトリを同期化させる、Ｕｎｉｘのデータ転送ソフトウェア・アプリケーションである。上記実施例では、文書転送モジュール３１６は、文書をご都合主義的に、ネットワーク接続性が利用可能である場合にのみ送信する蓄積交換システムを実現し得る。  
文書作成モジュール３１８は、新たな文書を作成するためのソフトウェア又はルーチンである。文書作成モジュール３１８はプロセッサ３０２上で動作可能であり、計算パッド２０２の他の構成部分と通信するためにバス３２０に結合される。文書作成モジュール３１８は、入力装置２１０乃至２１８、又はストローク捕捉装置２０８からの信号に応答する。文書作成モジュール３１８は、文書のテンプレート・フォームをメモリ３０４に記憶する。ユーザ入力に応じて、文書作成モジュール３１８は、記憶されたテンプレート・フォームにアクセスし、選択されたものを複製して、テンプレート・フォームから、新たな文書を作成する。作成されると、メモリ３０４に記憶された文書は、提示モジュール３２２によって維持されるインボックス・リストに加えられ、何れかの他の文書と同様に、他の方法で、編集可能であり、操作可能であり、送信可能である。
【００１５】
バス３２０は、計算パッド２０２にわたり、情報及びデータを通信するための共有バスを表す。バス３２０は、業界標準アーキテクチャ（ＩＳＡ）バス、周辺装置相互接続（ＰＣＩ）バス、ユニバーサル・シリアル・バス（ＵＳＢ）、又は同様な機能を提供するために当技術分野において知られている特定の他のバスを含む１つ又は複数のバスを表し得る。システム・バス３２０を介してプロセッサ３０２に結合された更なる構成部分には、ディスプレイ装置２０６、ストローク捕捉装置及びモジュール２０８、複数の入力装置２１０乃至２１６、出力装置２２０、プロセッサ３０２、メモリ３０４、通信装置３０６、一意の装置の識別子の記憶装置３０８、クロック３１０、メタデータ・モジュール３１２、ロギング・モジュール３１４、文書転送モジュール３１６、提示モジュール３２２、及び他のアプリケーション３２４が含まれる。更に、機能要素間の最も効率的な通信を提供するよう企図された複数のバスが計算システム２０２において存在し得る。  
提示モジュール３２２は、ディスプレイ装置２０６上にインボックス及び文書を表示し、入力装置２１０乃至２１６からの入力に応じて画像のディスプレイを調節するためのソフトウェア及びルーチンである。提示モジュール３２２は、図２、図８、及び図９に示すデュアル・モードのユーザ・インタフェースを生成するルーチンを行う。図１０乃至図１５を参照して以下に説明するように、提示モジュール３２２は更に、位置バー及びブックマーク・モジュール３２８と協働して、新しいグラフィカル・ユーザ・インタフェースを生成する。一実施例では、提示モジュール３２２は、ディスプレイ装置上に画像を表示させるための、プロセッサ３０２によって実行可能なシン・クライアント・ルーチンである。提示モジュール３２２は、ディスプレイ装置２０６、プロセッサ３０２、メモリ３０４、並びに、位置バー及びブックマーク・モジュール３２８にバス３２０によって結合される。
【００１６】
他のアプリケーション３２４は、他の各種の機能のための、プロセッサ３０２によって実行可能な他のソフトウェア及びルーチンを含む。一実施例では、限定列挙でないが、ワード・プロセッシング・アプリケーション、電子メール・アプリケーション、金融アプリケーション、及びウェブ・ブラウザ・アプリケーションを含む１つ又は複数のアプリケーション・プログラムがプロセッサ３０２によって実行される。  
位置バー及びブックマーク・モジュール３２８は、文書のページ間をたどり、ブックマーク機能を提供するために位置バー１００２（図１０も参照されたい）を提供する新たなグラフィカル・ユーザ・インタフェースを生成するためのソフトウェア及びルーチンである。位置バー及びブックマーク・モジュール３２８は、文書内のページ間で移動するために、操作可能なページ位置表示子又はページ・ボックス１００４を有する位置バー１００２を提供するグラフィカル・ユーザ・インタフェースを生成する役割を果たす。位置バー及びブックマーク・モジュール３２８は、ストローク捕捉モジュール２０８からペン入力を受け取るよう適合され、ペン入力を命令又はコマンドとして解釈する。位置バー１００２に沿ったページ位置表示子１００４の位置を操作することにより、ユーザは、表示されているページを切り替えることが可能である。一実施例では、位置バー及びブックマーク・モジュール３２８は更に、ブックマーク又は参照機能を提供する。位置バー及びブックマーク・モジュール３２８は、位置バー１００２に沿って参照マーク１０３２を追加、移動、又は削除する旨のペン入力に応答する。参照マーク１０３２がセットされると、位置バー及びブックマーク・モジュール３２８は、マーキングされた位置に移動する旨のコマンドとしてのブックマーク又は参照マークの近くの入力を解釈する。位置バー及びブックマーク・モジュール３２８の動作は、図６乃至図１５を参照して以下に更に詳細に説明する。  
最後に、計算パッド２０２は１つ又は複数の他のＩ／Ｏ装置３２６を含み得る。例えば、他のＩ／Ｏ装置３２６には、音を生成するためのスピーカ、音を記録するためのマイクロフォン、文書又は画像を記録するためのスキャナ又はカメラ、及び、加速度計、ページャ・モーター、又は触覚フィードバックのような他のセンサ若しくはフィードバック装置を含み得る。任意的には、他のＩ／Ｏ装置３２６は、オーディオ処理を容易にするために、１つ又は複数のアナログ・ディジタル変換器、若しくはディジタル・アナログ変換器、及び／又は１つ又は複数のディジタル信号プロセッサを含み得る。前述の他のＩ／Ｏ装置３２６は、プロセッサ３０２及びメモリ３０４と通信するためにバス３２０によって結合される。任意的には、マイクロコントローラは、電源システム制御を容易にし、低速の重要でないタスクから主プロセッサ３０２をオフロードするために、他のＩ／Ｏ装置３２６の一部として追加し得る。
【００１７】
ストローク及び画像ワークフロー・サーバ  １０６  
次に図４を参照して、ストローク及び画像ワークフロー・サーバ１０６の実施例を更に詳細に説明する。ストローク及び画像ワークフロー・サーバ１０６は、プロセッサ４０２と、メモリ４０４と、通信装置４０６と、文書転送モジュール４０８と、クロック４１０と、ワークフロー・モジュール４１２と、ロギング・モジュール４１６と、他のアプリケーション４１８と、バス４２０と、検証モジュール４３０とを備える。別の実施例では、ストローク及び画像ワークフロー・サーバ１０６は更に、ディスプレイ装置４２２、出力装置４２４、一意の装置ＩＤの記憶装置４２６、及び入力装置４２８を備える。  
ストローク及び画像ワークフロー・サーバ１０６の構成部分の一部が計算パッド２０２の構成部分と同一又は同様の機能を有するということを当業者は認識するであろう。よって、前述の構成部分の説明はここでは繰り返さないものとする。例えば、プロセッサ４０２、メモリ４０４、通信装置４０６、文書転送モジュール４０８、ロギング・モジュール４１６、クロック４１０、他のアプリケーション４１８、ディスプレイ装置４２２、出力装置４２４、一意の装置のＩＤ４２６、及び入力装置４２８は、図３のプロセッサ３０２、メモリ３０４、通信装置３０６、文書転送モジュール３１６、ロギング・モジュール３１４、クロック３１０、他のアプリケーション３２４、ディスプレイ装置２０６、出力装置２２０、一意の装置のＩＤ３０８、入力装置２１０乃至２１６それぞれと同様の機能を有する。ストローク及び画像ワークフロー・サーバ１０６の構成部分と、計算パッド２０２の構成部分との間の差を一部、以下に記す。例えば、通信装置４０６は、無線でなく有線でストローク及び画像ワークフロー・サーバ１０６をネットワーク１０４に結合し得る。ワークフロー・サーバ１０６は、数多くの携帯用計算装置１０２をサービスする可能性が高いので、プロセッサ４０２は、プロセッサ３０２よりも計算量的に強力である。文書転送モジュールは電子メール・クライアントでなく、電子メール・サーバである。ディスプレイ装置４２２はＣＲＴであり得、出力装置４２４はスピーカである。入力装置４２８は、キーボード、及びマウス型コントローラを含む。ストローク及び画像ワークフロー・サーバ１０６の構成部分は、遠隔クライアントでなく、ハードウェア・サーバとしてふるまうので、種々の他の差が存在し得るということを当業者は認識するであろう。  
ストローク及び画像ワークフロー・サーバ１０６の検証モジュール４３０は、文書の処理を検証するためのソフトウェア及びルーチンである。一実施例では、検証モジュール４３０は、後述する文書処理の検証を行うためにプロセッサ４０２によって実行可能なルーチンである。検証モジュール４３０は、プロセッサ４０２、メモリ４０４、及び通信装置４０６にバス４２０によって結合される。検証モジュール４３０は、ストローク及び画像ワークフロー・サーバ１０６と独立して使用し得る。実際に、特定のサーバのトラストの必要なしで文書の独立した検証のためにコンピュータ上で実行し得る。  
ストローク及び画像ワークフロー・サーバ１０６のワークフロー・モジュール４１２は、文書、又はフォーマッティングされたメッセージを処理し、ルーティングするためのソフトウェア及びルーチンである。ワークフロー・モジュール４１２は、文書４００を作成するか、又はフォーマッティングされたメッセージを作成する。ワークフロー・モジュール４１２は更に、ロギング・モジュール４１６と協働して、システム・ログ（ロギング・モジュール４１６、メモリ４０４、又はデータ記憶装置１１０に記憶される）を作成し、上記ログを、必要に応じて、公表し、又は利用可能にする。ワークフロー・モジュール４１２は更に、処理ワークフローの一部として、次の場所に文書、又はフォーマッティングされたメッセージをルーティングする役割も果たす。一実施例では、計算パッド２０２は、文書を送出することによって返すか、又は、アタッチメントを含む返信電子メールをストローク及び画像ワークフロー・サーバ１０６に送出し、ワークフロー・モジュール４１２は、ルーティング及び次のワークフロー工程を判定する。ワークフロー・モジュール４１２により、システム・ログを作成する処理により、もつれたログが作成され得、文書の別個のページをサービスする複数のワークフロー・モジュール４１２が存在していることは、検知されずに文書をタンパリングすることの困難性を大きく増大させる。例えば、ワークフロー・サーバ１０６は、ミーティングの終了後に、ミーティング・メンバー全てに送信されるノートパッド文書を作成し得る。ノートパッド文書は、グループ電子メール・アドレスを含む「次のデスティネーション」ＵＲＬで作成される。ノートパッドがタブレットにより、ワークフロー・サーバ１０６に返されると、ワークフロー・サーバ１０６は、グループの各メンバーに文書をルーティングする。  
理解の便宜及び容易性の目的で、ワークフロー内の文書の処理及び文書の転送は、ストローク及び画像ワークフロー・サーバ１０６のワークフロー・モジュール４１２によって行われるものとして以下に説明する。あるいは、同じ動作を計算パッド２０２によって行い得るということを当業者は認識するであろう。あるいは、文書ルーティング処理及びワークフロー規則は、一体化された１つのサーバとして実現される代わりに、別個のサーバによって実現し得るということを当業者は認識するであろう。
【００１８】
計算パッド２０２から受け取られると（計算パッド２０２によって送出されると）、ストローク及び画像ワークフロー・サーバ１０６のワークフロー・モジュール４１２が文書をどうするかを判定する種々のやり方が存在しているということを当業者は認識するであろう。一実施例では、計算パッド２０２は、特定のストローク及び画像ワークフロー・サーバ１０６と協働し、ストローク及び画像ワークフロー・サーバ１０６にページを送出するよう構成される。そのページについて、ストローク及び画像ワークフロー・サーバ１０６は次いで、予めプログラムされた規則に基づいて次の工程を判定する。一実施例では、ストローク及び画像ワークフロー・サーバ１０６は、文書自体の中に記憶されたメタデータに基づいて文書をどのようにして処理するかを判定する。メタデータは、文書の更なる処理、文書をどのようにしてルーティングするか、及び、ルーティングされるべき他の計算装置を規定し得る。例えば、メタデータとして記憶された順序付けられた一連の電子メール・アドレスは、連続する電子メール・アドレスに文書が転送されるワークフローの一例である。メタデータは更に、文書全体ベース、又はページ・ベースで提供し得る。  
別の実施例では、ワークフローは、文書が送出された電子メール（フォーマッティングされたメッセージ）内で、又は文書内で規定される。電子メールにより、文書を受信する単純なケースでは、計算パッド２０２は、完成した文書をストローク及び画像ワークフロー・サーバ１０６に返す。ストローク及び画像ワークフロー・サーバ１０６は次いで、メタデータを、完成した文書から抽出し、ワークフロー内の次の工程を判定し、次いで、完成した文書を、識別された装置（例えば、コンピュータ１０８）に送出して、ワークフロー内の次の工程を行う。別の実施例では、計算パッド２０２は、完成した文書を電子メールにより、ストローク及び画像ワークフロー・サーバ１０６に返し、電子メールはワークフローを含む。ストローク及び画像ワークフロー・サーバ１０６は、完成した文書を含む電子メールから、完成した文書を送出する次の電子メール・アドレスを求める。別の実施例では、ＨＴＴＰヘッダは、電子メールのヘッダの代わりに、又は電子メールのヘッダに加えて使用することが可能である。ページの画像、ストローク、及びメタデータをサポートするやり方で文書が伝送された場合、メタデータは、ワークフロー命令及びステータスを含み得る。やはり、単純なケースでは、メタデータは電子メール・アドレスのリスト、及びワークフローの現在の工程を含む。
【００１９】
文書フォーマット  
一実施例では、文書の基本フォーマット又は構造は、１つ又は複数のファイル及びディレクトリを含むディレクトリである。ディレクトリ中には、一連のページ画像、及び任意のメタデータがある。メタデータは各ページと別個に関連付け得、かつ／又は、メタデータは、全体としての文書と関連付け得る。前述のメタデータは、更にネスティングされたディレクトリに記憶されており、任意のものである。一実施例では、文書の各ページは画像として記憶される。これは特に効果的である。広範囲にわたる文書フォーマットを計算パッド２０２がサポートすることを必要とすることが避けられるからである。純粋な画像（すなわち、レンダリングを必要としないファイル）を計算パッド２０２に供給することにより、一貫した表示が確実にされ、フォントや他のグラフィカル・コマンドをレンダリングすることができないことを伴う問題点がなくなる。一実施例では、画像は、ＪＰＥＧ、ＪＰＥＧ２０００、ＪＰＭ、ＰＮＧ、ＰＤＦ、ＴＩＦＦ、又は単純なＰＢＭ（ポータブル・ビット・マップ）のファイル・フォーマットのうちの１つである。文書ディレクトリを標準ＺＩＰフォーマット・アーカイブとして転送し、記憶することが可能であるということを当業者は認識するであろう。  
同じ当初ネーム・セグメントを共有する複数のページ画像ファイルは、同等の品質のファイルの別の表現とみなされ、提示モジュール３２２はその用途に最も便利な表現を選び得る。よって、例えば、００１．ｐｇｍ、００１．ｐｎｇ、００２．ｐｇｍ、００２．ｊｐｇ、及び５．ｐｇｍのコンテンツを有するディレクトリは、３ページの文書をもたらす。１番目のページは、２つのファイル（００１．ｐｇｍ又は００１．ｐｎｇ）のうちの１つによって表される。２番目のページは００２．ｊｐｇ、又は００２．ｐｇｍによって表され、３番目のページは５．ｐｇｍによって表される。一実施例では、ネームのセグメントは、装置が画像を簡単に選ぶことを可能にするために何れかの画像の解像度又はサイズを規定するために使用することが可能である。例えば、画像ｐａｇｅ００１．６００ｘ８００．ｐｇｍ、及び画像ｐａｇｅ００ｌ．ｃｉｆ．ｐｇｍが存在し得、６００ｘ８００又はｃｉｆ（共通中間フォーマット）は画像の解像度を識別する。  
複数の画像はそれぞれ、関連付けられたページ又は画像メタデータを含み得る。ページ又は画像メタデータは、ストローク・データ、他のメタデータ、及びログ・データを含む。例えば、ページ又は画像メタデータは、捕捉画像を埋め込むか、又は配置し得る、画像内の領域を識別するピクチャ矩形も含み得る。更に、文書全体は文書メタデータを含む。文書メタデータは、文書ログ及び他の文書メタデータを含む。  
文書のメタデータは、ディレクトリに記憶されたファイルによって表され、これは、全体としての文書、又は個々のページと関連付けられる。一実施例では、メタデータ・ディレクトリは、ディレクトリ・ネームにおける最後の文字対としてサフィックス「ｄ」を有する。メタデータ・ディレクトリ内の情報は、ファイル又はサブディレクトリに記憶され、これは、一意のネーム・セグメントを有することになっている。一意の識別子（例えば、伝統的なジャバ（Ｊａｖａ(登録商標)）リバース・ドメイン名手法）を使用して組織を命名することが奨励される。メタデータ・ディレクトリ自体は、サブディレクトリを含み得、サブディレクトリの内容は、そのディレクトリの作成者によって順序付けられ、定義される。一般的な方針は、メタデータ・ファイル又はディレクトリの内容が分からないアプリケーションが内容を保存すべきであり、変えるべきでないというものである。特定のメタデータ・ファイル又はディレクトリは自己内蔵型であるので、同じディレクトリに含まれていない限り、メタデータのアイテム間の依存関係は何らないものであるべきである。メタデータのアイテムは、全体としての文書、又は特定のページに関係がある。  
一実施例では、文書メタデータ４０６はグローバル・メタデータであり、「ｄｏｃｕｍｅｎｔ．ｄ」と命名された１つ又は複数のファイルを含むディレクトリに記憶される。このディレクトリは、トップ・レベル・ディレクトリにおいて含まれる。文書メタデータ内に文書に関連付けられた動作のログを記憶することが有用である。一実施例では、システム１００は更に、文書メタデータとして「元の」文書のバージョンを記憶する。例えば、文書がＰＤＦ、マイクロソフト（Ｍｉｃｒｏｓｏｆｔ）社ワード（Ｗｏｒｄ）、マイクロソフト（Ｍｉｃｒｏｓｏｆｔ）社エクセル（Ｅｘｃｅｌ）、又は他の文書から形成された場合、元のフォーマットの文書はメタデータ・ディレクトリに保存し得る。  
一実施例では、ページ又は画像メタデータは、ページ画像と同じネーム・セグメントによって命名され、拡張子「．ｄ」で終わる。例えば、ページ画像が「ｐａｇｅ．００１．ｊｐｇ」と命名された場合、そのページに関連付けられている旨を示すよう「ｐａｇｅ．００１．ｄ」と命名すべきである。別の実施例では、ページ又は画像メタデータは、ページ・メタデータ・ディレクトリにおけるページ毎の特定のフォーマットにおける元の画像を含む。このメタデータは、例えば、最上位ディレクトリに、かつ、ページ・メタデータ・ディレクトリにラスタ・フォーマットを記憶することによって文書が作成されると直ちに作成されるか、又は、元のラスタ・フォーマットの複製をページ画像が最初に変更されると、記憶し得る。他の実施例では、ページ又は画像メタデータはログ・データを含む。このログ・データは、当該ページについて、メタデータ・ディレクトリ内の各ページに施される変更のためのログを表す。他のメタデータは、特定のページ又は画像に関する何れかの他のデータを記憶するために使用される。例えば、画像がページに追加された場合、ページ・メタデータ・ディレクトリに、前述の追加された画像を記憶することが有用である。紙のページに「スタンプ」することと同様な理由で、画像（例えば。「受け取り」又は「送出」）をページに加え、何れかの読み取り装置にページのステータスの視覚的な表示を提供し得る。
【００２０】
方法  
次に図５乃至図７Ｂを参照して、本発明の本実施例の方法を更に詳細に説明する。  
図５は、本発明の本実施例による自動文書処理方法の一実施例を示す。処理は、ストローク及び画像ワークフロー・サーバ１０６が、携帯用計算装置１０２ａに関連付けられたインボックス５０２を作成し、確立することから始まる。ストローク及び画像ワークフロー・サーバ１０６は次いで、携帯用計算装置１０２ａへの配信がスケジューリングされた１つ又は複数の文書５０４を作成し、インボックス５０２に入れる。例えば、文書は、携帯用計算装置１０２ａのユーザが記入し、返す必要がある、医療情報フォームなどのフォームであり得る。ストローク及び画像ワークフロー・サーバ１０６は、インボックス５０２から、携帯用計算装置１０２ａ上の対応するインボックス（図示せず）に文書５０４を自動転送する（５０６）。実施例に応じ、文書の転送は、１）文書５０４がインボックス５０２に入れられ次第、２）携帯用計算装置１０２ａがストローク及び画像ワークフロー・サーバ１０６と通信するために結合され次第、３）１５分間隔など周期的に、又は、４）上記の種々の組み合わせの別々のいくつかの時点で行われ得る。文書５０４が、携帯用計算装置１０２ａに転送される（５０６）と、携帯用計算装置１０２ａは、文書５０４に注釈を付し、ストローク及び他の情報を加えるために使用される。注釈が文書５０４に追加され、文書５０４がもう一度、線５０８で表すように携帯用計算装置１０２ａ上に記憶される。一実施例では、文書５０４に追加された注釈及び情報が、携帯用計算装置１０２からバックアップ・サーバ５１２にバックアップされる（５１０）。上記文書の転送は、上記時点と同様な時点で行われ得る。携帯用計算装置１０２ａによって行われた注釈をバックアップする前述の工程が、携帯用計算装置１０２ａの電源を維持するために１０分以上毎などの等間隔で行い得るということを当業者は認識するであろう。更に別の実施例では、バックアップ間隔はユーザによって設定することが可能である。ユーザが、特定の文書５０４への注釈の追加を完了し、文書５０４が送出できる状態になり次第、ユーザは送出命令を入力し、注釈を付した文書５０４は、携帯用計算装置１０２ａからストローク及び画像ワークフロー・サーバ１０６に転送される（５１４）。注釈を付けた文書５０４は、ストローク及び画像ワークフロー・サーバ１０６において受け取られ次第、記憶され、記録され、ワークフロー処理における次の工程が判定される。文書５０４を次にどこに送出すべきかの判定に基づいて、ストローク及び画像ワークフロー・サーバ１０６は文書を、判定された装置（例えば、他のコンピュータ１０８）に送信する（５１６）。図５は、複数のコンピュータをコンピュータ１０８として示しているが、コンピュータ１０８が、文書５０４に対する更なる処理又は注釈を行うことができる各種ベンダを表すということを当業者は認識するであろう。  
本発明の本実施例は、フォーム又は文書を自動的に処理し、ワークフローにおいて進めるレベルが理由で特に効果的である。図５は、フォーム又は文書がワークフローにおいて自動的に進められ、ストローク及び画像ワークフロー・サーバ１０６から携帯用計算装置１０２ａ乃至ｎに送出されるという点で本発明の本実施例がどのようにして自動的であるかを示す。フォーム又は文書は、ユーザによって注釈が付けられ次第、もう一度、ストローク及び画像ワークフロー・サーバ１０６に送出され、ユーザは、単一の「送出」コマンド又は命令を入力するだけでよい。フォーム又は文書のこの自動レベルの処理は、日常の文書処理に携帯用計算装置１０２ａを使用することが十分に簡単かつ単純になるので特に効果的である。更に、本発明の本実施例では、鉛筆及び紙の使用を非常に厳密に模倣する体験又は相互作用をユーザに提供することに適しており、学習曲線はほとんど必要ないか、又は不要である。
【００２１】
本発明の本実施例は更に、非常に単純であり、使いやすい一連のユーザ・インタフェースを提供するので、効果的である。特に、以下に説明するユーザ・インタフェースは。計算パッド２０２との２つの相互作用モードを提供する。第１のモード（インボックス・モード）では、ユーザ・インタフェース（図８の８００を参照されたい）は、ユ―ザにより、修正可能であるか、編集可能であるか、又は注釈可能である文書全てを列挙したインボックスを提示する。この第１のモードでは、ユーザは、１）文書が列挙された順序を再ソート、２）編集するための文書を選択、３）編集するために新たな文書を作成の３つの動作に制限される。第２のモード（文書注釈モード）では、文書の画像を表示するユーザ・インタフェース（図９の９００を参照されたい）が提示される。やはり、ユーザは、１）ストローク又は注釈を文書に追加、２）ピクチャを文書に追加、３）画像の別のページの表示への遷移、又はインボックス・モードに戻る遷移の３つの動作に制限される。本発明の本実施例は、ユーザが必要とする決定数を制限するので、本発明の本実施例は特に効果的である。文書と相互作用するインタフェースを２つだけ提供し、各モードにおいて行われる動作の数を制限することにより、ユーザ・インタフェースに、洗練された単純さ及び効率性がもたらされる。これにより、ユーザ・インタフェースが、小さな学習曲線を伴って、又は学習曲線なしで簡単に適合することを可能にし、紙との相互作用を模倣するユーザ体験がもたらされ、ワークフロー内の自動処理と、情報収集体の収集体が一体化される。更に、本発明の本実施例は、単純なコマンド・ワークフロー・ルーティングを提供する。  
次に図８を参照すれば、インボックス・ビュー又はユーザ・インタフェース８００の一実施例を示す。インボックス・ビュー８００は、メニュー領域８０２、ディスプレイ領域８０４、及びナビゲーション領域８２２を含むウィンドウである。  
メニュー領域８０２は、複数のボタン８０６、計算パッド２０２用のラベル８０８、及び計算パッド２０２用のステータス表示子８０１を含む。ボタン８０６は、ユーザが、インボックスにおいて文書がどのようにして列挙されているかを修正するか、又は新たな文書を作成することを可能にする。例えば、「ＩＬ」（インボックス・リスト）とラベリングされた１つのボタン８０６は、図８に示すようにリストとしてインボックスに文書を提示する。「ＩＴ」（インボックス・サムネイル）とラベリングされた別のボタン８０６は、ディスプレイ領域８０４に、各文書の最初のページのサムネイル画像として文書を示させる。「ＡＮＦ」（新たなフォームを追加する）とラベリングされた第３のボタン８０６は、ウィンドウの下部に沿って作成することが可能な新たな文書の選択可能なテンプレートを示す図２Ａのユーザ・インタフェースと、ユーザが新たな文書を作成することを可能にする領域が存在しない、図８に示すディスプレイとの間で切り替わる。ラベル８０８は、ユーザ・ネームなどの、計算パッド２０２の所有者の特定の表示である。ステータス表示子８１０は、計算パッド２０２のステータスを示すために使用されるアイコンである。例えば、ワイファイ（Ｗｉ−Ｆｉ）信号、３Ｇ信号（若しくはブルートゥース）、又はバッテリそれぞれを表示するために、一連のバー、一連の無線ＳＬＡＴ、又はバッテリなどの別々のアイコンを示し得る。  
ディスプレイ領域８０４は、複数の選択ボタン８１２、一連の列、並びに、一連のボタン８１４、８１６、８１８、及びラベルを含む。本発明の本実施例は、インボックス内の電子メールの提示と同様な一連の列と、対応する列をそれぞれが有する文書を効果的に列挙する。文書それぞれ（行）は、対応する選択ボタン８１２を有する。ユーザが選択ボタン８１２を選択すると、計算パッド２０２は、選択された文書が表示されて、図９のフォーム・ビュー９００に、図８のインボックス・ビュー８００から遷移する。各行は、選択ボタン８１２用の１列、フォーム・ネーム用の１列、文書内のページ数用の１列、及び文書のステータス用の１列という４つの列を有する。ディスプレイ領域８０４の上位領域に近い領域は、一連の列ヘッダを備えている。一実施例では、３つの列はそれぞれ、選択ボタン８１４、８１６、８１８、及び対応するラベルを有する。例えば、第２の列は選択のボタン８１４及びラベル「フォーム・ネーム」を含み、第３の列は選択ボタン８１６及びラベル「ページ」を含み、第４の列は選択ボタン８１８及びラベル「ステータス」を含む。一実施例では、３つの選択ボタン８１４、８１６、８１８のうちの１つのみが何れかの特定の時点で選択可能である。ユーザの選択に基づいて、ディスプレイ領域に列挙され、示された文書は、選択ボタン８１４、８１６、８１８の属性に応じてソートされる。すなわち、文書は、フォーム・ネーム、ページ数、又はステータスに応じてソートされる。文書のステータスは、ワークフローにおけるそのステータス、又はレビュー若しくは編集のそのステータスである。インボックス内の何れかの文書のステータスは、１）送出され、アップロードされた、２）送出されたが、アップロードされていない、３）編集された、４）読み出されたが、編集されていない、５）新しい（が、開かれていない）のうちの１つであり得、それらには、それらのステータスに視覚的に対応するアイコンが備えられ得る。
【００２２】
ナビゲーション領域８２２は、ページと、文書のどのページが表示されているかのページ番号表示子１０１０との間でナビゲートするための操縦手段を含む。図８に示す例示的な文書の場合、１ページの文書の最初のページが、ページ番号表示子１０１０によって規定されるように表示される。ナビゲーション領域８２２は、ページ・ボックス１００４又はページ位置表示子を備えたスライダー・バー又は位置バー１００２である。本実施例では、始点が文書内の最初のページを表す最も左の位置であり、終点が文書内の最後のページを表す最も右の位置である水平線である。始点と終点との間の線上の位置は、文書の対応するページと線形的に関連付けられる。位置バー１００２に対するページ位置表示子１００４の位置は、ユーザ・インタフェース８００上の表示されている現在のページの文書内の相対的なページ位置を示すために使用される。この実施例では、ページ位置表示子１００４は、文書内のページ位置を示す方形又は矩形として示す。他の実施例では、ページ位置表示子１００４が、円、楕円、三角形、又は何れかの他の形状などの他の形状であり得るということを当業者は認識するであろう。他の実施例では、ページ位置表示子１００４は、ナビゲーション領域８２２内の位置バー１００２とページ位置表示子１００４を区別する何れかの他の視覚表現であり得る。本出願を通して、「ページ位置表示子」及び「ページ・ボックス」の語は、取り換えて、同じ意味で使用される（すなわち、計算パッド２０２のディスプレイ２０６上に提示されているページの文書内のページ位置に対応するページ位置バー１００２上のページ位置を識別するグラフィック表示子）。ナビゲーション領域８２２は、先行ページ又は後続ページにナビゲートするためにボタン対１００６、１００８も含む。位置バー１００２及びページ位置表示子１００４の動作は、図６乃至図１５を参照して以下に更に詳細に説明する。  
次に図９を参照すれば、フォーム・ビュー又はユーザ・インタフェース９００の一実施例を示す。フォーム・ビュー９００は、メニュー領域８０２、ディスプレイ領域９０２、及びナビゲーション領域８２２を含むウィンドウである。フォーム・ビュー９００のメニュー領域８０２は、インボックス・ビュー８００について上述したものと同様のものである。しかし、フォーム・ビュー９００のメニュー領域８０２は、フォーム・ビュー９００からインボックス・ビュー８００に遷移する単一のボタン８０６のみを含む。フォーム・ビュー９００のナビゲーション領域８２２は、インボックス・ビュー８００について上述したものと同様であり、ここでは繰り返し説明しないものとする。  
フォーム・ビュー９００のディスプレイ領域９０２は、文書のページの画像を表示するために使用される。図９は、画像９０４を挿入するための領域、質問に対する応答を記入するための領域９０６、及び署名９０８のための領域などの複数の領域を備えた例示的なフォームを示す。フォーム・ビュー９００の表示中、ユーザは、単にディスプレイ２０６の上でスタイラス２０４を移動させることにより、上記領域９０４、９０６、及び９０８の何れかに注釈を追加することが可能である。何れかの数の各種フォーム又は文書を表示し得ることと、前述のフォームが、テキストのみ、又は領域９０４、９０６、及び９０８の何れかと組み合わせたテキストを含む各種ページを有し得ることとを当業者は認識するであろう。このユーザ・インタフェースは、純粋に効果的である。紙でユーザが行うようにフォーム・ビュー９００内で注釈を付けることにより、ユーザが文書を処理することを可能にするからである。ユーザは、文書に対する注釈を完了し次第、送出ボタン２１４を打てばよく、計算パッド２０２は前述の注釈を自動的に記録し、計算パッド２０２の文書を記憶し、文書をストローク及び画像ワークフロー・サーバ１０６に転送し、ストローク及び画像ワークフロー・サーバ１０６は、必要に応じて、注釈を付した文書に対して更なる処理を完了する。例えば、一実施例では、フォーム・ビュー９００が表示されており、ユーザが送出ボタン２１４を選択し、又は押すと、計算パッド２０２は、フォーム・ビュー９００に現在表示されている文書を判定し、（計算パッド２０２に記憶されているか、又は記憶されていない）この文書について計算パッド２０２によって受け取られている何れかのストローク又は他の入力を追加することにより、注釈を付した文書を作成し、次いで、注釈を付した文書をストローク及び画像ワークフロー・サーバ１０６に送出する。別の実施例では、計算パッド２０２は、文書のみならず、フォーム・ビュー９００において現在表示されているページも判定し、文書のページのみをストローク及び画像ワークフロー・サーバ１０６に送出する。更に別の実施例では、計算パッド２０２は、注釈を付した文書を作成するために文書に追加することが可能な何れかのストローク入力又は他の入力を受け取ったか否かを判定する。計算パッドが、特定のストローク入力又は他の入力を受け取っている場合、注釈を付した文書を作成し、計算パッド２０２からストローク及び画像サーバ１０６に送出することにより、処理は上述の通りに続く。一方、計算パッド２０２がストローク入力又は他の入力を受け取っていない場合、計算パッド２０２は、フォーム・ビュー９００に表示されている文書上で行われた編集がない旨を示すエラー・メッセージをユーザに向けて表示し、したがって、ストローク及び画像ワークフロー・サーバ１０６に、文書又は注釈を付した文書は送出されない。更に別の実施例では、計算パッド２０２は、フォーム・ビュー９００において提示される何れかの文書が、受け手が望むレベルまで記入されていることを確実にする。例えば、文書を送出し得る前に、文書内の全フィールドのうちの特定数のフィールドが記入されることが文書によって必要とされ得る。前述の場合、計算パッド２０２は、フォーム・ビュー９００において提示されている文書の要件を満たすために、入力データの数、長さ、及び他の構成が十分であるか否かを判定する。肯定の場合、計算パッド２０２は、必要な入力から、注釈を付した文書を作成し、注釈を付した文書をストローク及び画像ワークフロー・サーバに送出する。否定の場合、計算パッド２０２は、文書の所要フィールドが記入されていない旨を示す１つ又は複数のエラー・メッセージを表示し、したがって、文書は送出することが可能でない（。そして、文書は送出されない）。エラー・メッセージは、単なる一般的なエラー・メッセージから、送出可能になる前に前のページのどのフィールドに記入しなければならないかをユーザに向けて明確化する特定のエラー・メッセージに及ぶ。文書の送出が計算パッド２０２によって実行される前に計算パッド２０２によって施し得る別々の実施シナリオに対する種々の修正が存在しているということを、当業者は、上述の説明から認識するであろう。  
次にもう一度、図２Ａを参照すれば、新たなフォーム・ビュー７３４の実施例を示す。新たなフォーム・ビュー７３４は、上記インボックス・ビュー８００と同様である。しかし、新たなフォーム・ビュー７３４は更に、ラベル、ナビゲーション領域、及び新たなフォーム・テンプレート領域を含む下部領域７５０を含む。新たなフォーム・テンプレート領域内には、ユ―ザによって選択可能なフォームがある。テンプレート領域内のフォームのうちの１つの選択に応じて、計算パッド２０２は、選択されたそのタイプの新たなフォームを作成し、インボックスによって維持されるリストに追加する。図２Ａは、文書がなく、テンプレート領域からのフォームのユーザ選択に先行するインボックスを示す。別の実施例では、フォーム・テンプレートのサムネイル画像はそれぞれ、サムネイルの左上隅部に近いチェックボックスを含み得る。チェックボックスのユーザ選択に応じて、計算パッド２０２は、新たな文書を作成し、インボックスに追加する工程を行う。
【００２３】
位置バー及びブックマーク・モジュール３２８  
次に図６を参照すれば、本発明により、位置バー１００２を生成し、参照マーク１０３２をセットするための方法（６００）の第１の実施例を説明する。以下の説明のために、方法６００の工程の全部ではないにせよ、方法６００の工程の大半が、提示モジュール３２２、並びに、位置バー及びブックマーク・モジュール３２８と協働してプロセッサ３０２によって行われるものとする。他の装置が、本発明の本実施例がデスクトップ・コンピュータ上で実現される場合など、この方法６００の工程を行い得るということを当業者は認識するであろう。  
方法は、文書のページを表示する（６０２）ことによって始まる。例えば、文書のページは、図８を参照して図示し、上述したユーザ・インタフェース８００において表示し得る。次いで、方法６００は、位置バー１００２を生成する（６０４）。次に図１０も参照すれば、位置バー１００２の一実施例を示す。位置バー１００２は好ましくは、位置バー及びブックマーク・モジュール３２８の記載において上述したように水平線である。位置バー１００２は、文書内のページの線形近似を表す。位置バー１００２上の最も左の位置は、計算パッド２０２上に表示されている文書の最初のページ又は最初を表し、位置バー１００２上の最も右の位置は、計算パッド２０２上に表示されている文書の最後のページ又は最後を表す。一実施例では、ディスプレイ２０６上の位置バー１００２の長さは、表示されている文書内にページがいくつあるかにかかわらず、固定である。別の実施例では、位置バー１００２の長さは、表示されている文書にページがいくつあるかに応じて変動する。例えば、文書が１０未満などの数ページのみを備えている場合、位置バー１００２は、その最大値の約２５％の長さを有することになる。しかし、文書が、１００ペ―ジ超を有している場合、位置バー１００２は、数インチ（２．５ｃｍ）の最大長を有することになる。次いで、方法（６００）は、文書について表示されているページの数及び順序を判定する（６０６）。更に、方法６００は、計算パッド２０２上に表示されている現在のページのページ数を判定する。次に、方法は、ページ位置表示子１００４を生成し（６０８）、工程６０６で判定されたページ番号及びページ数に基づいて位置バー１００２上の位置に表示する。例えば、文書に、合計２０ページあり、第１０ページが計算パッド上に表示されている場合、位置バー及びブックマーク・モジュール３２８によって生成されるユーザ・インタフェースは、図１０の上半分に示す部分インタフェース１０００と同様である。  
方法６００はユーザ・インタフェース１０００を提示し続け、ユーザはユーザ・インタフェース１０００と相互作用して別々の文書ページにナビゲートする。ユーザは、ストロークを入力することにより、ユーザ・インタフェース１０００に対するコマンドを入力する。しかし、ユーザは、ユーザ・インタフェース１０００の他の領域（図示せず）における文書にストローク注釈を追加することも可能である。方法６００は、ストローク入力を受け取ることにより（６１０）、続く。次いで、方法６００は、ページ位置表示子１００４の上で、又はページ位置表示子１００４の近くでストローク入力が行われたか否かを判定する（６１２）。一実施例では、ストローク捕捉モジュール２０８は、ストロークが入力された位置を識別することが可能である。ストローク入力の何れかの部分がページ位置表示子１００４の中に、又はページ位置表示子１００４の近くにある場合、ページ位置表示子１００４の上であるとみなされる。例えば、ストローク捕捉モジュール２０８は、ストローク入力の厳密な位置を１乃至２個の画素内で識別することが可能である。ページ位置表示子１００４の上でストローク入力が行われたか否かを判定するために、ストローク捕捉モジュール２０８からの前述の位置は、ページ位置表示子１００４が提示モジュール３２２によって表示されている位置と比較することが可能である。別の実施例では、事実上、ページ位置表示子１００４の上である訳でないが、位置バー及びブックマーク・モジュール３２８は、ページ位置表示子１００４の上にあるとして、エラー因子ε内のストローク入力を解釈する。例えば、εは、０−５画素の値を有し得る。本発明の本実施例は効果的には、ユーザが参照マーク１０３２を追加したい旨の表示としてページ位置表示子１００４の上のストロークの配置と解釈する。よって、単純に、ページ位置表示子１００４をスタイラス２００４で軽くたたくことにより、ユーザは、参照マーク１０３２を位置バー１００２に追加することが可能である。これは、ユーザが参照マーク１０３２をセットし、後に、前述の参照マーク１０３２を使用して文書内の別々のページ間でジャンプすることの容易度を非常に大きくする。ストローク入力がページ位置表示子１００４の上であったと方法が判定した場合、方法は、現在のページにおいて参照マーク１０３２をセットする（６１４）ことに進む。次いで、ユーザ・インタフェース１０３０は、ページ位置表示子１００４と同じ位置で位置バー１００２上に参照マーク１０３２を示すよう更新される。ディスプレイ及びユーザ・インタフェースが更新され次第、方法は完了し、終了する。一方、ストローク入力が、ページ位置表示子１００４の上になかったと方法が判定した場合、方法６００は工程６１８に続く。工程６１８では、ストローク入力は、ページ・ナビゲーションに関係ない別のＧＵＩ制御に対するストローク入力、又は、ストローク注釈として処理される。ストローク入力が注釈として追加されたか、又は好適なＧＵＩ制御コマンドとして処理された後、方法は完了し。終了する。
【００２４】
次に図７Ａ及び図７Ｂを参照すれば、本発明により、ブックマーク機能を有する位置バー１００２を生成し、上記位置バー１０２と相互作用する第２の実施例を説明する。方法は、フォーム・ビュー・インタフェース９００内などの文書のページを表示することにより（７０２）、開始する。表示する工程（７０２）は図６の工程６０２、６０４、６０６、６０８と同様であるので、本明細書では前述の説明は繰り返さないものとする。次に、方法７００はストローク入力を受け取る（７０４）。これは、上記図６の工程６１０と同様である。方法７００は次いで、工程７０４において受け取られたストローク入力がページ位置表示子１００４の上か、又は上記ページ位置表示子の近くにあるか否かを判定する（７０６）。本発明の本実施例は、参照マーク１０３２を追加又は除去することが非常に簡単なグラフィカル・ユーザ・インタフェースを提供する。ユーザが、ブランク・ページ位置表示子１００４の上を軽くたたいた場合、位置バー及びブックマーク・モジュール３２８は、その入力ジェスチャを、ページ位置表示子１００４の現在の位置における参照マーク１０３２をユーザが追加したい旨の表示として解釈する。同様に、既存の参照マーク１０３２の上に配置されたページ位置表示子１００４の上をユーザが軽くたたいた場合、位置バー及びブックマーク・モジュール３２８は、既存の参照マークをユーザが除去したい旨の表示としてそのジェスチャを解釈する。ストローク入力が、ページ位置表示子１００４の上にあると判定された場合、方法７００は、ページ位置表示子１００４が既存の参照マーク１０３２の上、又は既存の参照マーク１０３２のある場所に存在しているか否かを判定（７０８）し続ける。この判定は、ストロークがページ位置表示子１００４の上にあるか否かの判定と同様に行われるが、ページ位置表示子１００４の位置及び参照マーク１０３２の位置を比較することによって行われる。ページ位置表示子１００２が参照マーク１０３２の上にある場合、方法７００は、参照マーク１０３２を除去し（７１０）、表示から参照マーク１０３２を表すチェックマークを除去することにより、位置バー１００２及びページ位置表示子１００４の表示を更新し続ける。表示が更新された後、方法は完了し、終了する。一方、ページ位置表示子１００２が参照マーク１０３２の上にない場合、方法７００は、新たな参照マーク１０３２を追加（７１２）し、位置バー及びページ位置表示子の表示を更新し続ける。特に、インタフェース１０３０は、参照マーク１３２を表すページ位置表示子の現在の位置においてチェックマークを追加するよう更新される。表示が更新された後、方法は完了し、終了する。
【００２５】
工程７０６において、ページ位置表示子１００４の上にストロークがないと方法が判定した場合、方法７００は工程７１４に進む。工程７１４では、方法７００は、ストローク入力が参照マーク１０３２近くにあったか否かを判定する。本発明の本実施例は、効果的には、先行して表示されており、参照マーク１０３２でマーキングされたページと、現在表示されているページとの間でユーザがジャンプすることを簡単にする。ユーザは、参照マーク１０３２が提示されるディスプレイ領域の近傍でスタイラス２０４を軽くたたけばよい。一実施例では、参照マーク１０３２の位置の３乃至５画素内である場合、ストローク入力は参照マーク１０３２の「近傍」とみなされる。他の実施例では、「近傍」の定義はデフォールト値に設定され、前述のデフォールト値は、位置バー及びブックマーク・モジュール３２８と相互作用することにより、ユーザによって修正し得る。例えば、ユーザが、多くの場合、数百のページを有する文書を表示する場合、「近傍」の定義は、参照マークに非常に近い範囲内（例えば、２画素未満）に設定し得る。小さな距離は大きなページ数を表すからである。特定の位置が、２つ以上の参照マークの標準的な長さ内にあり得る場合には、アルゴリズムは、最も近い参照マークを選ぶ。しかし、ユーザが２０ページ以下の文書を表示することが多い場合、「近傍」の定義は、画素の数の点で、より大きな値を有し得る（例えば、７乃至１５画素）。より大きな距離は、数ページしか表さないからである。方法７００は、ストローク入力が参照マーク１０３２近くにあると判定した場合、参照マーク１０３２に関連付けられた文書のページを判定する（７１６）ことで続く。次いで、方法７００は、参照マーク１０３２に関連付けられた文書のページを表示する（７１８）。方法７００は更に、参照マークの上でページ位置表示子１００４を移動させ（７２０）、表示されている新たなページを反映するようページ番号表示子１０１０を変更し（７２２）、新たなページが表示されていることを反映するようユーザ・インタフェース１２０２を更新する。参照マーク１０３２に関連付けられた文書のページを示すよう計算パッド２０２のディスプレイ２０６が更新され、ユーザ・インタフェース１２０２が更新された後、方法は完了し、終了する。  
次に図７Ｂを参照すれば、方法７００における残りの工程を説明する。参照マーク１０３２の近くにストローク入力がないと方法７００が工程７１４で判定した場合、方法は、図７Ａの工程７１４から図７Ｂの工程７２４に遷移する。工程７２４では、方法７００は、ストローク入力が位置バー１００２の近傍であるか否かを判定する。ここでは、「近傍」の定義は、上述したような「近傍」と同じ定義を有する。更に、これは、スタイラス２０４及び計算パッド２０２とのユーザの相互作用のスタイルに対応するために上述したものと同程度のカスタム化を有する。ストローク入力が位置バー１００２の近くにあると方法７００が判定した場合、処理は、位置バー１００２上のストローク入力の位置を判定する（７２６）ことにより、続行する。方法７００は次いで、位置に対応するページを判定する（７２８）。ストローク位置及び対応するページの判定７２６、７２８では、上述したように判定される。方法７００は、ストローク入力のために位置バー１０２上の位置に対応することが分かったページを表示することによって続行する。方法７００は、位置バー１００２上のページ位置表示子１００４をストローク入力に対応する位置に移動させ、ページ番号表示子１０１０を変更し（７３４）、表示を更新することによって完了する。  
一方、工程７２４において、位置バー１００２の近傍にストローク入力がないと判定された場合、方法７００は、ナビゲーション領域８２２内の何れかの変更ページアイコン１００６及び１００８の近くにストローク入力があったか否かを判定する。肯定の場合、方法７００は現在のページを判定し（７３８）、選択されたページアイコン１００６、１００８に応じて先行ページ又は後続ページを表示する。方法は、選択されたページアイコン１００６、１００８に応じて、位置バー１００２上のページ位置表示子１００４を先行ページ又は後続ページにもう一度移動させることによって継続する。最後に、ページ番号表示子１０１０は、変更され（７３４）、表示が更新され、その後、方法は完了し、終了する。  
ストロークが変更ページアイコンの近傍にないと工程７３６で判定された場合、ディスプレイ領域８０４に示された文書に追加する必要があるストローク注釈、又は、ナビゲーション領域８２２以外の別のＧＵＩのための制御信号若しくはコマンドでなければならない。ストローク入力は、別のＧＵＩのための制御信号の文書に追加される対象のストローク注釈として処理され（７４４）、処理は完了し、終了する。  
次に図１０乃至図１５を参照して、本発明の本実施例の新しいユーザ・インタフェースを更に詳細に示し、説明する。図１０乃至図１３では、各図は、ユーザ・インタフェースの一部分の図式表現の対を含む。各図における上部ユーザ・インタフェースは、ストローク入力を受け取る前のナビゲーション領域８２２のステータスを示す。各図における下部ユーザ・インタフェースは、ストローク入力を受け取り、処理した後のナビゲーション領域８２２のステータスを示す。更に、図１０乃至図１５に示すユーザ・インタフェースがインタフェース全体の一部分のみを示しているということを当業者は認識するであろう。インボックス・ビュー・インタフェース８００及びフォーム・ビュー・インタフェース９００の実施例は、ディスプレイ領域２０６の下部の近くにナビゲーション領域８２２を配置するが、本発明の本実施例のナビゲーション領域８２２は、表示の上部、又は表示の側部などの他の位置に配置させることが可能である。インボックス・ビュー・インタフェース８００であってもフォーム・ビュー・インタフェース９００であっても、ナビゲーション領域８２２は、後述するページ移行及びブックマークの機能を有する。  
図１０は、フォーム・ビュー９００のナビゲーション領域８２２及びディスプレイ領域９０２の一部分の一実施例の図式表現を示す。ユーザ・インタフェース１０００は、本発明の本実施例による、ページ位置表示子１００４の選択前後のディスプレイ領域９０２及びナビゲーション領域８２２を示す。図１０に示すように、ナビゲーション領域８２２は、位置バー１００２、ページ位置表示子１００４、先行ページ・ボタン又はアイコン１００６、ページ番号表示子１０１０、及び後続ページ・ボタン又はアイコン１００８を含む。位置バー１００２は、ナビゲーション領域８２２の大半にわたり、横方向に延びる線である。ページ位置表示子１００４は位置バー１００２の長手軸に沿って移動可能であり、その位置は現在のページの文書内の線形位置を反映する。ナビゲーション領域８２２の右側には、先行ページ・ボタン１００６、ページ番号表示子１０１０、及び後続ページ・ボタン１００８が左から右にその順序で配置されている。本実施例では、ページ番号表示子１０１０は、現在のページ、及び合計ページ数を示し、２つの値はスラッシュで分けられる。  
図１０は、参照マーク１０３２が追加された後の本発明の本実施例のユーザ・インタフェースを示す。インタフェース１０００は、２０ペ―ジの文書の第１０頁がディスプレイ領域９０２内に示されていることを示すナビゲーション領域８２２とともに示す。位置バー１００２は、文書のページの線形表現である。第１０頁がディスプレイ領域９０２内に表示されているので、ページ位置表示子１００４は位置バー１００２の中央近くに配置される。インタフェース１０００は、ユーザがページ間をナビゲートする単純かつ簡単なやり方を提供する。ユーザは、２０ページの文書の先行ページ又は後続ページに表示を進めるよう、ボタン１００６又はボタン１００８を軽くたたくことが可能である。ユーザは更に、スタイラス２０４（図１０に図示せず）を使用してページ位置表示子１００４を、位置バー１００２に沿って別の位置にドラッグすることが可能であり、ページ位置表示子１００４の新たな位置に対応するページはディスプレイ領域９０２内に提示される。
【００２６】
本発明の本実施例の具体的な効果は、参照マーク１０３２をセットすることができることである。図１０に示すように、インタフェース１０００とインタフェース１０３０との間の遷移は、参照マーク１０３２の追加に応じた、インタフェース内の変更を示す。上部のインタフェース１０００は、参照マーク１０３２の追加の前の表示のステータスを示す。ユーザが参照マーク１０３２を追加したい場合、ユーザは、ページ位置表示子１００４上の、又はページ位置表示子１００４の近くのスタイラス２０４を軽くたたく（１０２０）。ページ位置表示子１００４上を、又はページ位置表示子１００４の近くを軽くたたくというストローク入力により、図６を参照して上述した処理を開始させる。最終結果は、図１０の下部に示すインタフェース１０３０である。参照マーク１０３２が追加された後、ページ位置表示子１００４は、現在のページの位置バー１００２上の位置にあるチェックマークとともに示しているということが分かる。チェックマークは、参照マーク１０３２が追加されたことの視覚フィードバックをユーザに提供する。チェックマークが、視覚フィードバックを提供し得る１つのやり方に過ぎないことと、種々の他の記号、マーク、色、強調表示、及びフォーマッティングを使用して参照マーク１０３２の存在を示し得るということとを当業者は認識するであろう。単一の参照マークのみを図１０に示しているが、図６を参照し、図１０に示す後述の処理を何れかの回数だけ繰り返して複数の参照マーク１０３２を追加して位置バー１００２に沿って種々の位置を追加することが可能であるということも当業者は認識するであろう。次に、更に図１４を参照すれば、複数の参照マーク１４０２、１４０４、１０３２、１４０６を有する例示的なインタフェース１４００を示す。後に表示することにユーザが関心を有するか、又はユーザが戻り得る何れかのページにおいて、参照マークを位置バー１００２にユーザによって追加することが可能である。  
次に図１１を参照すれば、本発明の本実施例の位置バー１００２によって提供される別の効果を示す。上部インタフェース１０３０は、ユーザが参照マーク１０３２を直前にセットした図１０の下部において示したものと同一である。ディスプレイ領域９０２に表示されている現在のページに対応する位置における参照マーク１０３２がセットされているので、ユーザは次いで、文書の他のページを表示するよう移行することが可能である。ユーザは、文書の他のページを表示したい場合、位置バー１００２上の特定の位置におけるストローク（軽くたたくこと、チェックマーク、又は他の同様なペン・タイプのジェスチャ）を入力すればよい。位置バー１００２は、文書内のページの線形表現であるので、ユーザは、位置バー１００２の位置を推定することが可能であり、最も左の位置は文書の最初のページに対応し、最も右の位置は文書の最後のページであって、ユーザが関心を有するページに対応するものに対応する。この例では、ユーザは、位置バー１００２の最も右端からの距離の約２５％である、インタフェース１０３０の位置バー１００２上の位置１１０４を軽くたたいている。これに応じて、本発明の本実施例は、図７を参照して上述した処理及び方法を実行して図１１の下半分においてインタフェース１１０２を生成する。インタフェース１１０２をインタフェース１０３０と比較することによって分かるように、ページ位置表示子１００４の位置は、インタフェース１０３０の位置バー１００２をユーザが軽くたたいた位置に対応させるよう位置バー１００２に沿って移動させる。図示していないが、ディスプレイ領域９０２は、インタフェース１０３０における第１０ページに対して、インタフェース１１０２における２０ページの文書の第１５ページを示すよう更に修正される。最後に、ページ番号表示子１０１０は、第１５ページが表示されていることを反映するよう更新され、次いで、「１５／２０」を示す。
【００２７】
次に図１２を参照して、参照マーク１０３２をセットすることの実際の効果を示す。図１２の上部分は、インタフェース１１０２を示し、インタフェース１１０２では、ユーザは参照マーク１０３２をセットしており、次いで、レビューする文書の別のページを選択しており、よって、文書の別のページ（例えば、第１５頁）が表示されていることを示す別の位置（例えば、参照マーク１０３２と同じでない）にページ位置表示子１００４を移動させる。このインタフェース１１０２は、図１１の下部に示すものと同じである。次いで、ユーザは、先行して参照マーク１０３２でマーキングされているページを表示したい場合、参照マーク１０３２上を軽くたたけばよく（１２００）、計算パッド２０２はインタフェース１１０２の表示からインタフェース１２０２の表示に移行する。計算パッド２０２は更に、図７Ａ及び図７Ｂを参照して上述した方法を実行する。インタフェース１２０２においてみられるように、ページ位置表示子１００４は、インタフェース１２０２内の参照マーク１０３２と、位置バー１００２上の同じ位置にあるよう、インタフェース１１０２内のその位置から移動している。やはり、図示していないが、ディスプレイ領域９０２は、２０ページの文書の第１０ページを示すよう更新される。更に、ページ番号表示子１０１０は、２０ページのうちの第１０ページが表示されていることを反映するよう更新される。  
次に図１３を参照すれば、参照マーク１０３２の除去に関連した、インタフェース１２０２、１３０２における変更を示す。図１３に示す上部インタフェース１２０２は、図１２の下部におけるインタフェースと同じである。このインタフェースは、参照マーク１０３２と、位置バー１００２上の同じ位置に配置されたページ位置表示子１００４を示す。ユーザは、参照マーク１０３２を除去したい場合、インタフェース１２０２内のページ位置表示子１００４上を軽くたたくだけでよい（１３００）。これにより、図７Ａを参照して上述した処理が計算パッド２０２によって実行され、最終結果がインタフェース１３０２となる。インタフェース１３０２はインタフェース１０００と同じである。図１３で分かるように、２つのインタフェース１２０２、１３０２を比較することにより、参照マーク１０３２は、インタフェース１３０２における位置バー１００から除外されている。  
次に図１５を参照すれば、ユーザ・インタフェース１５００の第２の実施例の一部の図式表現を示す。本発明のこの別の実施例は、先行ページ・ボタン１００６及び後続ページ・ボタン１００８を位置バー１００２の両端部に配置させる。これは本発明の本実施例のナビゲーション領域８２２の構成要素の一実施例であるにすぎないということを当業者は認識するであろう。前述の構成要素は、本発明の本実施例の機能をなお提供しながら、各種の他の組織的な手法において構成し得る。更に、位置バー１００２が文書のページの線形表現で、本発明の本実施例を上述しているが、文書のページの他の表現が考えられるということを当業者は認識するであろう。例えば、位置バー１００２は、文書のページの双曲型の表現（又は何れかの他の単調関数）であり得る。すなわち、ページ位置表示子１００４の、その現在の位置に対する移動は、その現在の位置に近い距離の場合、より細かい粒度を有し、その現在の位置から遠い距離の場合、より粗い粒度を有する。更に、更に別の代替的な実施例では、位置バー１００２は、文書内の文書の位置を、魚眼の図式表現と関連付け得る。  
本発明の実施例の上記説明は、例証及び説明の目的で提示している。これは、網羅的であることを意図するものでなく、本発明を、開示された厳密な形態に制限することを意図しているものでない。上記教示に照らして多くの修正及び変更が考えられる。  
本発明の範囲が、この詳細な説明によって制限されず、本願の請求項によって制限されるということを意図している。当業者によって理解されるように、本発明は、その趣旨又は本質的な特性から逸脱しない限り、他の特定の形態で実施することができる。同様に、モジュール、ルーチン、構成、属性、方法論、及び他の局面の特定の命名及び区分は必須でも重要でもなく、本発明又はその構成を実現する機構は、異なるネーム。区分、又はフォーマットを有し得る。更に、当業者に明らかになるように、本発明のモジュール、ルーチン、構成、属性、方法論、及び他の局面は、ソフトウェア、ハードウェア、ファームウェア、又はこれら３つの何れかの組み合わせとして実現することが可能である。更に、本発明の本実施例の構成部分（この一例は、モジュールである）がソフトウェアとして実現される場合には、上記構成部分は、スタンドアロン・プログラムとして、より大きなプログラムの一部として、別個の複数のプログラムとして、静的又は動的にリンクされたライブラリとして、カーネル・ロード可能なモジュールとして、デバイス・ドライバとして、かつ／又は、現在若しくは将来にコンピュータ・プログラミングの技術分野で公知の他のやり方全てで実現される。更に、本発明の本実施例は、何れかの特定のプログラミング言語における実現形態、又は、何れかの特定のオペレーティング・システム若しくは環境のための実現形態に決して制限されるものでない。よって、本発明の開示は、以下の特許請求の範囲に記載された本発明の範囲を例証することを意図しており、上記本発明の範囲を限定することを意図するものでない。  
本出願は、西暦２０１０年６月２９日付けに出願された米国特許出願第１２／826,306号を基礎としており、上記米国特許出願の優先権の利益を主張する。
【図１】
0005846130.tif 000002
【図２Ａ】
0005846130.tif 000003
【図２Ｂ】
0005846130.tif 000004
【図３】
0005846130.tif 000005
【図４】
0005846130.tif 000006
【図５】
0005846130.tif 000007
【図６】
0005846130.tif 000008
【図７Ａ】
0005846130.tif 000009
【図７Ｂ】
0005846130.tif 000010
【図８】
0005846130.tif 000011
【図９】
0005846130.tif 000012
【図１０】
0005846130.tif 000013
【図１１】
0005846130.tif 000014
【図１２】
0005846130.tif 000015
【図１３】
0005846130.tif 000016
【図１４】
0005846130.tif 000017
【図１５】
0005846130.tif 000018